(57)【特許請求の範囲】
【請求項１】
所定の期間クロックが停止することで表示をオフする保護機能を備えた受信装置にクロック及びデータを送信する送信装置であって、
クロック及び前記クロックのＮ倍（Ｎは自然数）の周波数のクロックに同期したデータを送信する送信手段と、
前記クロックの周波数切り替え時に、前記送信手段から送信されるクロックの送信を所定の時間停止する制御手段とを備えた
ことを特徴とする送信装置。
【請求項２】
前記送信手段は、データの送信をＤＶＩ規格若しくはＨＤＭＩ規格に基づいて行う
ことを特徴とする請求項１記載の送信装置。
【請求項３】
所定の期間クロックが停止することで表示をオフする保護機能を備えた受信装置にクロック及びデータを送信する送信装置であって、
クロック及び前記クロックのＮ倍（Ｎは自然数）の周波数のクロックに同期したデータを送信する送信手段と、
前記クロックの周波数切り替え時に、前記送信手段から送信されるクロックの送信を所定の時間停止する制御手段とを備え、
前記制御手段は、前記受信装置の情報が予め与えられ、この受信装置の情報に基づいて、前記クロックの送信を停止する所定の時間を設定する
ことを特徴とする送信装置。
【請求項４】
前記受信装置の情報には、少なくとも前記受信装置の製造者の情報が含まれている
ことを特徴とする請求項３記載の送信装置。
【請求項５】
前記送信手段は、データの送信をＤＶＩ規格若しくはＨＤＭＩ規格に基づいて行う
ことを特徴とする請求項３又は４記載の送信装置。
【請求項６】
所定の期間クロックが停止することで表示をオフする保護機能を備えた受信装置にクロック及びデータを送信する送信装置であって、
クロック及び前記クロックのＮ倍（Ｎは自然数）の周波数のクロックに同期したデータを伝送路を介して受信装置に送信する送信手段と、
前記クロックの周波数切り替え時に、前記送信手段から送信されるクロックの送信を所定の時間停止する制御手段と、
前記受信装置の情報を前記伝送路を介して前記受信装置から読み出す読み出し手段とを備え、
前記制御手段は、前記読み出し手段により読み出した受信装置の情報に基づいて、前記クロックの送信を停止する所定の時間を設定する
ことを特徴とする送信装置。
【請求項７】
前記受信装置の情報には、少なくとも前記受信装置の製造者の情報が含まれている
ことを特徴とする請求項６記載の送信装置。
【請求項８】
前記送信手段は、データの送信をＤＶＩ規格若しくはＨＤＭＩ規格に基づいて行う
ことを特徴とする請求項６又は７記載の送信装置。
【請求項９】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるクロックの送信を第１の所定の時間停止する制御手段とを備え、
前記受信装置は、
伝送路を介して前記送信手段に接続される受信手段と、
前記受信手段が受信したクロックが第２の所定の時間停止したことを検出し、前記受信手段を再設定し表示をオフする再設定手段とを備える
ことを特徴とする送受信装置。
【請求項１０】
前記第１の所定の時間は、前記第２の所定の時間よりも長い
ことを特徴とする請求項９記載の送受信装置。
【請求項１１】
前記受信装置に備える再設定手段は、前記受信手段をリセットすることにより再設定を行う
ことを特徴とする請求項９又は１０記載の送受信装置。
【請求項１２】
前記送信装置に備える送信手段は、データの送信をＤＶＩ規格若しくはＨＤＭＩ規格に基づいて行う
ことを特徴とする請求項９〜１１の何れか１項に記載の送受信装置。
【請求項１３】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるクロックの送信を第１の所定の時間停止する制御手段とを備え、
前記受信装置は、
伝送路を介して前記送信手段に接続される受信手段と、
前記受信手段が受信したクロックが第２の所定の時間停止したことを検出し、前記受信手段を再設定し表示をオフする再設定手段とを備え、
前記送信装置に備える制御手段は、前記受信装置に備える受信手段の情報が予め与えられ、この受信手段の情報に基づいて、前記クロックの送信を停止する第１の所定の時間を設定する
ことを特徴とする送受信装置。
【請求項１４】
前記第１の所定の時間は、前記第２の所定の時間よりも長い
ことを特徴とする請求項１３記載の送受信装置。
【請求項１５】
前記受信装置に備える再設定手段は、前記受信手段をリセットすることにより再設定を行う
ことを特徴とする請求項１３又は１４記載の送受信装置。
【請求項１６】
前記送信装置に備える送信手段は、データの送信をＤＶＩ規格若しくはＨＤＭＩ規格に基づいて行う
ことを特徴とする請求項１３〜１５の何れか１項に記載の送受信装置。
【請求項１７】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるクロックの送信を第１の所定の時間停止する制御手段と、
前記受信装置の情報を読み出す読み出し手段とを備え、
前記受信装置は、
伝送路を介して前記送信手段に接続される受信手段と、
前記受信手段が受信したクロックが第２の所定の時間停止したことを検出し、前記受信手段を再設定し表示をオフする再設定手段と、
前記受信手段又は前記再設定手段の情報を保持する情報保持手段とを備え、
前記送信装置に備える読み出し手段は、前記情報保持手段の保持する情報を読み出し、
前記送信装置に備える制御手段は、前記読み出し手段により読み出した前記情報保持手段の保持する情報に基づいて、前記クロックの送信を停止する第１の所定の時間を設定する
ことを特徴とする送受信装置。
【請求項１８】
前記受信装置に備える情報保持手段の保持する情報には、少なくとも前記受信手段又は前記再設定手段の製造者の情報が含まれている
ことを特徴とする請求項１７記載の送受信装置。
【請求項１９】
前記第１の所定の時間は、前記第２の所定の時間よりも長い
ことを特徴とする請求項１７又は１８記載の送受信装置。
【請求項２０】
前記受信装置に備える再設定手段は、前記受信手段をリセットすることにより再設定を行う
ことを特徴とする請求項１７〜１９の何れか１項に記載の送受信装置。
【請求項２１】
前記送信装置に備える送信手段は、データの送信をＤＶＩ規格若しくはＨＤＭＩ規格に基づいて行う
ことを特徴とする請求項１７〜２０の何れか１項に記載の送受信装置。
【請求項２２】
所定の期間データが停止することで表示をオフする保護機能を備えた受信装置にクロック及びデータを送信する送信装置であって、
クロック及び前記クロックのＮ倍（Ｎは自然数）の周波数のクロックに同期したデータを送信する送信手段と、
前記クロックの周波数切り替え時に、前記送信手段から送信されるデータの送信を所定の時間停止する制御手段とを備えた
ことを特徴とする送信装置。
【請求項２３】
前記送信手段は、データの送信をＤＶＩ規格若しくはＨＤＭＩ規格に基づいて行う
ことを特徴とする請求項２２記載の送信装置。
【請求項２４】
所定の期間データが停止することで表示をオフする保護機能を備えた受信装置にクロック及びデータを送信する送信装置であって、
クロック及び前記クロックのＮ倍（Ｎは自然数）の周波数のクロックに同期したデータを送信する送信手段と、
前記クロックの周波数切り替え時に、前記送信手段から送信されるデータの送信を所定の時間停止する制御手段とを備え、
前記制御手段は、前記受信装置の情報が予め与えられ、この受信装置の情報に基づいて、前記データの送信を停止する所定の時間を設定する
ことを特徴とする送信装置。
【請求項２５】
前記受信装置の情報には、少なくとも前記受信装置の製造者の情報が含まれている
ことを特徴とする請求項２４記載の送信装置。
【請求項２６】
前記送信手段は、データの送信をＤＶＩ規格若しくはＨＤＭＩ規格に基づいて行う
ことを特徴とする請求項２４又は２５記載の送信装置。
【請求項２７】
所定の期間データが停止することで表示をオフする保護機能を備えた受信装置にクロック及びデータを送信する送信装置であって、
クロック及び前記クロックのＮ倍（Ｎは自然数）の周波数のクロックに同期したデータを伝送路を介して受信装置に送信する送信手段と、
前記クロックの周波数切り替え時に、前記送信手段から送信されるデータの送信を所定の時間停止する制御手段と、
前記受信装置の情報を前記伝送路を介して前記受信装置から読み出す読み出し手段とを備え、
前記制御手段は、前記読み出し手段により読み出した受信装置の情報に基づいて、前記データの送信を停止する所定の時間を設定する
ことを特徴とする送信装置。
【請求項２８】
前記受信装置の情報には、少なくとも前記受信装置の製造者の情報が含まれている
ことを特徴とする請求項２７記載の送信装置。
【請求項２９】
前記送信手段は、データの送信をＤＶＩ規格若しくはＨＤＭＩ規格に基づいて行う
ことを特徴とする請求項２７又は２８記載の送信装置。
【請求項３０】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるデータの送信を第１の所定の時間停止する制御手段とを備え、
前記受信装置は、
伝送路を介して前記送信手段に接続される受信手段と、
前記受信手段が受信したデータが第２の所定の時間停止したことを検出し、前記受信手段を再設定し表示をオフする再設定手段とを備える
ことを特徴とする送受信装置。
【請求項３１】
前記第１の所定の時間は、前記第２の所定の時間よりも長い
ことを特徴とする請求項３０記載の送受信装置。
【請求項３２】
前記受信装置に備える再設定手段は、前記受信手段をリセットすることにより再設定を行う
ことを特徴とする請求項３０又は３１記載の送受信装置。
【請求項３３】
前記送信装置に備える送信手段は、データの送信をＤＶＩ規格若しくはＨＤＭＩ規格に基づいて行う
ことを特徴とする請求項３０〜３２の何れか１項に記載の送受信装置。
【請求項３４】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるデータの送信を第１の所定の時間停止する制御手段とを備え、
前記受信装置は、
伝送路を介して前記送信手段に接続される受信手段と、
前記受信手段が受信したデータが第２の所定の時間停止したことを検出し、前記受信手段を再設定し表示をオフする再設定手段とを備え、
前記送信装置に備える制御手段は、前記受信装置に備える受信手段の情報が予め与えられ、この受信手段の情報に基づいて、前記データの送信を停止する第１の所定の時間を設定する
ことを特徴とする送受信装置。
【請求項３５】
前記第１の所定の時間は、前記第２の所定の時間よりも長い
ことを特徴とする請求項３４記載の送受信装置。
【請求項３６】
前記受信装置に備える再設定手段は、前記受信手段をリセットすることにより再設定を行う
ことを特徴とする請求項３４又は３５記載の送受信装置。
【請求項３７】
前記送信装置に備える送信手段は、データの送信をＤＶＩ規格若しくはＨＤＭＩ規格に基づいて行う
ことを特徴とする請求項３４〜３６の何れか１項に記載の送受信装置。
【請求項３８】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるデータの送信を第１の所定の時間停止する制御手段と、
前記受信装置の情報を読み出す読み出し手段とを備え、
前記受信装置は、
伝送路を介して前記送信手段に接続される受信手段と、
前記受信手段が受信したデータが第２の所定の時間停止したことを検出し、前記受信手段を再設定し表示をオフする再設定手段と、
前記受信手段又は前記再設定手段の情報を保持する情報保持手段とを備え、
前記送信装置に備える読み出し手段は、前記情報保持手段の保持する情報を読み出し、
前記送信装置に備える制御手段は、前記読み出し手段により読み出した前記情報保持手段の保持する情報に基づいて、前記データの送信を停止する第１の所定の時間を設定する
ことを特徴とする送受信装置。
【請求項３９】
前記受信装置に備える情報保持手段の保持する情報には、少なくとも前記受信手段又は前記再設定手段の製造者の情報が含まれている
ことを特徴とする請求項３８記載の送受信装置。
【請求項４０】
前記第１の所定の時間は、前記第２の所定の時間よりも長い
ことを特徴とする請求項３８又は３９記載の送受信装置。
【請求項４１】
前記受信装置に備える再設定手段は、前記受信手段をリセットすることにより再設定を行う
ことを特徴とする請求項３８〜４０の何れか１項に記載の送受信装置。
【請求項４２】
前記送信装置に備える送信手段は、データの送信をＤＶＩ規格若しくはＨＤＭＩ規格に基づいて行う
ことを特徴とする請求項３８〜４１の何れか１項に記載の送受信装置。
【請求項４３】
所定の期間クロック及びデータが停止することで表示をオフする保護機能を備えた受信装置にクロック及びデータを送信する送信装置であって、
クロック及び前記クロックのＮ倍（Ｎは自然数）の周波数のクロックに同期したデータを送信する送信手段と、
前記クロックの周波数切り替え時に、前記送信手段から送信されるクロック及びデータの送信を所定の時間停止する制御手段とを備えた
ことを特徴とする送信装置。
【請求項４４】
前記送信手段は、データの送信をＤＶＩ規格若しくはＨＤＭＩ規格に基づいて行う
ことを特徴とする請求項４３記載の送信装置。
【請求項４５】
所定の期間クロック及びデータが停止することで表示をオフする保護機能を備えた受信装置にクロック及びデータを送信する送信装置であって、
クロック及び前記クロックのＮ倍（Ｎは自然数）の周波数のクロックに同期したデータを送信する送信手段と、
前記クロックの周波数切り替え時に、前記送信手段から送信されるクロック及びデータの送信を所定の時間停止する制御手段とを備え、
前記制御手段は、前記受信装置の情報が予め与えられ、この受信装置の情報に基づいて、前記クロック及びデータの送信を停止する所定の時間を設定する
ことを特徴とする送信装置。
【請求項４６】
前記受信装置の情報には、少なくとも前記受信装置の製造者の情報が含まれている
ことを特徴とする請求項４５記載の送信装置。
【請求項４７】
前記送信手段は、データの送信をＤＶＩ規格若しくはＨＤＭＩ規格に基づいて行う
ことを特徴とする請求項４５又は４６記載の送信装置。
【請求項４８】
所定の期間クロック及びデータが停止することで表示をオフする保護機能を備えた受信装置にクロック及びデータを送信する送信装置であって、
クロック及び前記クロックのＮ倍（Ｎは自然数）の周波数のクロックに同期したデータを伝送路を介して受信装置に送信する送信手段と、
前記クロックの周波数切り替え時に、前記送信手段から送信されるクロック及びデータの送信を所定の時間停止する制御手段と、
前記受信装置の情報を前記伝送路を介して前記受信装置から読み出す読み出し手段とを備え、
前記制御手段は、前記読み出し手段により読み出した受信装置の情報に基づいて、前記クロック及びデータの送信を停止する所定の時間を設定する
ことを特徴とする送信装置。
【請求項４９】
前記受信装置の情報には、少なくとも前記受信装置の製造者の情報が含まれている
ことを特徴とする請求項４８記載の送信装置。
【請求項５０】
前記送信手段は、データの送信をＤＶＩ規格若しくはＨＤＭＩ規格に基づいて行う
ことを特徴とする請求項４８又は４９記載の送信装置。
【請求項５１】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるクロック及びデータの送信を第１の所定の時間停止する制御手段とを備え、
前記受信装置は、
伝送路を介して前記送信手段に接続される受信手段と、
前記受信手段が受信したクロック又はデータが第２の所定の時間停止したことを検出し、前記受信手段を再設定し表示をオフする再設定手段とを備える
ことを特徴とする送受信装置。
【請求項５２】
前記第１の所定の時間は、前記第２の所定の時間よりも長い
ことを特徴とする請求項５１記載の送受信装置。
【請求項５３】
前記受信装置に備える再設定手段は、前記受信手段をリセットすることにより再設定を行う
ことを特徴とする請求項５１又は５２記載の送受信装置。
【請求項５４】
前記送信装置に備える送信手段は、データの送信をＤＶＩ規格若しくはＨＤＭＩ規格に基づいて行う
ことを特徴とする請求項５１〜５３の何れか１項に記載の送受信装置。
【請求項５５】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるクロック及びデータの送信を第１の所定の時間停止する制御手段とを備え、
前記受信装置は、
伝送路を介して前記送信手段に接続される受信手段と、
前記受信手段が受信したクロック又はデータが第２の所定の時間停止したことを検出し、前記受信手段を再設定し表示をオフする再設定手段とを備え、
前記送信装置に備える制御手段は、前記受信装置に備える受信手段の情報が予め与えられ、この受信手段の情報に基づいて、前記データの送信を停止する第１の所定の時間を設定する
ことを特徴とする送受信装置。
【請求項５６】
前記第１の所定の時間は、前記第２の所定の時間よりも長い
ことを特徴とする請求項５５記載の送受信装置。
【請求項５７】
前記受信装置に備える再設定手段は、前記受信手段をリセットすることにより再設定を行う
ことを特徴とする請求項５５又は５６記載の送受信装置。
【請求項５８】
前記送信装置に備える送信手段は、データの送信をＤＶＩ規格若しくはＨＤＭＩ規格に基づいて行う
ことを特徴とする請求項５５〜５７の何れか１項に記載の送受信装置。
【請求項５９】
クロック及びデータを送信する送信装置と、
前記送信装置から送信されるクロック及びデータを受信する受信装置とを備えた送受信装置であって、
前記送信装置は、
クロック及び前記クロックのＮ倍（Ｎは自然数）の周波数のクロックに同期したデータを送信する送信手段と、
前記クロックの周波数切り替え時に、前記送信手段から送信されるクロック及びデータの送信を第１の所定の時間停止する制御手段と、
前記受信装置の情報を読み出す読み出し手段とを備え、
前記受信装置は、
伝送路を介して前記送信手段に接続される受信手段と、
前記受信手段が受信したクロック又はデータが第２の所定の時間停止したことを検出し、前記受信手段を再設定し表示をオフする再設定手段と、
前記受信手段又は前記再設定手段の情報を保持する情報保持手段とを備え、
前記送信装置に備える読み出し手段は、前記情報保持手段の保持する情報を読み出し、
前記送信装置に備える制御手段は、前記読み出し手段により読み出した前記情報保持手段の保持する情報に基づいて、前記クロック及びデータの送信を停止する第１の所定の時間を設定する
ことを特徴とする送受信装置。
【請求項６０】
前記受信装置に備える情報保持手段の保持する情報には、少なくとも前記受信手段又は前記再設定手段の製造者の情報が含まれている
ことを特徴とする請求項５９記載の送受信装置。
【請求項６１】
前記第１の所定の時間は、前記第２の所定の時間よりも長い
ことを特徴とする請求項５９又は６０記載の送受信装置。
【請求項６２】
前記受信装置に備える再設定手段は、前記受信手段をリセットすることにより再設定を行う
ことを特徴とする請求項５９〜６１の何れか１項に記載の送受信装置。
【請求項６３】
前記送信装置に備える送信手段は、データの送信をＤＶＩ規格若しくはＨＤＭＩ規格に基づいて行う
ことを特徴とする請求項５９〜６２の何れか１項に記載の送受信装置。
【発明の詳細な説明】
【技術分野】
【０００１】
本発明は、デジタル信号の送信装置及び送受信装置に関し、特に、ＳＴＢ（Ｓｅｔ  Ｔｏｐ  Ｂｏｘ）やＤＶＤプレーヤー、ＤＶＤレコーダー等の映像信号や音声信号のデータ伝送に用いられる送信装置及び送受信装置に関するものである。
【背景技術】
【０００２】
デジタル信号の送信装置及び送受信装置においては、例えば特許文献１に記載されるように、ＤＶＩ（Ｄｉｇｉｔａｌ  Ｖｉｓｕａｌ  Ｉｎｔｅｒｆａｃｅ）規格が広く用いられている。また、前記ＤＶＩ規格の拡張として、映像信号に音声信号を多重して伝送することが可能なＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格も知られている。前記ＨＤＭＩ規格は前記ＤＶＩ規格の上位互換性を有しており、基本的にはＤＶＩ規格と同一の送信方法及び送受信方法を用いている。そこで、本明細書では、ＤＶＩ規格を例にとって従来の送信装置及び送受信装置について説明する。
【０００３】
従来、映像信号の伝送に用いられる送信装置及び送受信装置として、図１９に示した技術がある。
【０００４】
同図において、１４はエンコーダー、１５はパラレル・シリアル変換器、１６は１０逓倍ＰＬＬ（Ｐｈａｓｅ  Ｌｏｃｋｅｄ  Ｌｏｏｐ）、１７は分周器、１８はＭＰＥＧ２デコーダー、１９１はマイクロコンピュータ（以下、マイコンと言う）、１１０はシリアル・パラレル変換器、１１１はデコーダ、１１２はクロック再生回路、１１３は分周器、１１４はテレビ、１１５はケーブルである。また、１９０は送信装置、１１７は受信装置であり、前記送信装置１９０及び前記受信装置１１７によって送受信装置が構成されている。
【０００５】
ＤＶＩ規格では、ＲＧＢの３チャンネルによってデータを送信するが、図１９では簡略化のため、１チャンネルのみを図示している。以下に、図１９を用いて、従来の送信装置及び送受信装置の動作について説明する。
【０００６】
ＭＰＥＧ２デコーダー１８では、マイコン１９からの指示に基づいて、ＤＶＤディスク等に記録されているＭＰＥＧ２データをデコードし、クロックＣＬＫ及び前記クロックＣＬＫに同期した８ビットの映像信号をデータとして出力する。
【０００７】
前記８ビットのデータが送信装置１９０に入力されると、エンコーダ１４において、８ビットのデータを８ビット１０ビット変換し、１０ビットのデータを出力する。ここで、８ビット１０ビット変換では、データをパラレルからシリアルに変換した際に、「１」や「０」が長期間連続することなく、かつＤＣバランスが取れるよう２ビットが付加される。８ビット１０ビット変換が為された後には、パラレル・シリアル変換器１５において、１０ビットのパラレルデータが１ビットのシリアルデータに変換され、伝送路であるケーブル１１５に送出される。
【０００８】
前記クロックＣＬＫが送信装置１６に入力されると、１０逓倍ＰＬＬ１６において、ＰＬＬの効果により入力クロックＣＬＫに対して周波数１０倍のクロック（ＣＬＫ×１０）を生成する。前記パラレル・シリアル変換器１５では、この周波数１０倍のクロックを用いて、１０ビットのパラレルデータを１ビットのシリアルデータに変換する。周波数１０倍に変換されたクロックは分周器１７において、周波数を１／１０に変換し、ケーブル１１５に送出される。
【０００９】
以上の動作によって、送信装置１９０に入力されたクロックＣＬＫと同一周波数のクロック及び前記クロックＣＬＫの周波数１０倍のクロック（ＣＬＫ×１０）に同期したシリアルデータがケーブル１１５に送出される。
【００１０】
前記ケーブル１１５を介して受信装置１１７に入力されるクロックとシリアルデータとの間にはジッタが存在する。このジッタは、送信装置１９０で発生するジッタに、ケーブル１１５伝送時に発生するジッタが加算されたジッタである。受信装置１１７内のクロック再生回路１１２では、受信したクロックを１０逓倍し、受信したシリアルデータのジッタに追従した周波数１０倍のクロックを生成する。その後、シリアル・パラレル変換器１１０において、この周波数１０倍のクロックを用いて１ビットシリアルデータを１０ビットパラレルデータに変換する。１０ビットパラレルデータは、デコーダ１１１において、１０ビット８ビット変換されて、８ビットデータが復元される。
【００１１】
また、前記クロック再生回路１１２において１０逓倍されたクロックは、分周器１１３において、１／１０分周され、送信装置１９０から送信されたクロックを復元する。
【００１２】
以上のようにして、受信装置１１７は、ケーブル１１５を介して入力されるクロックとシリアルデータから、ＭＰＥＧ２デコーダー１８から送信装置１９０に入力された８ビットのパラレルデータ及びこのデータに同期したクロックを出力する。このクロック及びデータがテレビ１１４に入力されて映像が表示される。
【特許文献１】特開２００２−３１４９７０号公報
【発明の開示】
【発明が解決しようとする課題】
【００１３】
ＤＶＩ規格では、様々なビデオフォーマットの映像信号の伝送が定義されており、例えば、クロック周波数２７ＭＨｚのスタンダード信号（以下、ＳＤ信号と言う）やクロック周波数７４．１７５ＭＨｚのハイビジョン信号（以下、ＨＤ信号と言う）の伝送を行うことができる。また、伝送途中にＳＤ信号からＨＤ信号に切り替えて送信することも可能である。
【００１４】
しかしながら、ＳＤ信号からＨＤ信号へのビデオフォーマットの切り替えを行った場合には、クロック周波数が２７ＭＨｚから７４．１７５ＭＨｚに切り替わるので、受信装置１１７内のクロック再生回路１１２では、クロックの周波数変化に対する追従と、クロックとシリアルデータとの間のジッタへの追従とを再度行わなければならない。すなわち、クロックとデータとのロックはずれが発生し、クロックの再同期が必要となる。クロックの再同期を行っている間、シリアル・パラレル変換器１１０では、データと周波数１０倍のクロックとの同期がとれずにミスラッチが起こり、データ化けが発生する。このため、信号の切り替わり点ではデータとクロックとの同期が回復するまでの期間、データ化けがノイズとなってテレビ１１４に表示される。さらに、クロック再生回路１１２の応答の時定数は受信装置１１７によって異なるため、テレビ１１４にノイズが表示される時間は受信装置１１７によって異なる。
【００１５】
また、信号をＨＤ信号からＳＤ信号へ切り替えた場合も同様にデータ化けが発生し、テレビ１１４にノイズが表示される。
【００１６】
上記のようなノイズの発生は、ＤＶＩ規格のみでなく、ＨＤＭＩ規格やＤＶＩ規格と同様の方式で送受信を行う場合にも起こり得る。
【００１７】
本発明は、前記の課題に着目してなされたものであり、その目的は、クロック周波数の変化を伴う信号切り替えを行った場合であっても、クロックとデータとのミスラッチに因るノイズの発生を低減することが可能な送信装置及び送受信装置を提供することにある。
【課題を解決するための手段】
【００１８】
前記の目的を達成するために、本発明では、送信装置及び送受信装置において、送信手段から送信されるクロックやデータの送信を所定の時間だけ停止する構成を採用する。
【００１９】
具体的に、本発明の送信装置は、所定の期間クロックが停止することで表示をオフする保護機能を備えた受信装置にクロック及びデータを送信する送信装置であって、クロック及び前記クロックのＮ倍（Ｎは自然数）の周波数のクロックに同期したデータを送信する送信手段と、前記クロックの周波数切り替え時に、前記送信手段から送信されるクロックの送信を所定の時間停止する制御手段とを備えたことを特徴とする。
【００２０】
本発明は、前記送信装置において、前記送信手段は、データの送信をＤＶＩ規格若しくはＨＤＭＩ規格に基づいて行うことを特徴とする。
【００２１】
本発明の送信装置は、所定の期間クロックが停止することで表示をオフする保護機能を備えた受信装置にクロック及びデータを送信する送信装置であって、クロック及び前記クロックのＮ倍（Ｎは自然数）の周波数のクロックに同期したデータを送信する送信手段と、前記クロックの周波数切り替え時に、前記送信手段から送信されるクロックの送信を所定の時間停止する制御手段とを備え、前記制御手段は、前記受信装置の情報が予め与えられ、この受信装置の情報に基づいて、前記クロックの送信を停止する所定の時間を設定することを特徴とする。
【００２２】
本発明は、前記送信装置において、前記受信装置の情報には、少なくとも前記受信装置の製造者の情報が含まれていることを特徴とする。
【００２３】
本発明は、前記送信装置において、前記送信手段は、データの送信をＤＶＩ規格若しくはＨＤＭＩ規格に基づいて行うことを特徴とする。
【００２４】
本発明の送信装置は、所定の期間クロックが停止することで表示をオフする保護機能を備えた受信装置にクロック及びデータを送信する送信装置であって、クロック及び前記クロックのＮ倍（Ｎは自然数）の周波数のクロックに同期したデータを伝送路を介して受信装置に送信する送信手段と、前記クロックの周波数切り替え時に、前記送信手段から送信されるクロックの送信を所定の時間停止する制御手段と、前記受信装置の情報を前記伝送路を介して前記受信装置から読み出す読み出し手段とを備え、前記制御手段は、前記読み出し手段により読み出した受信装置の情報に基づいて、前記クロックの送信を停止する所定の時間を設定することを特徴とする。
【００２５】
本発明は、前記送信装置において、前記受信装置の情報には、少なくとも前記受信装置の製造者の情報が含まれていることを特徴とする。
【００２６】
本発明は、前記送信装置において、前記送信手段は、データの送信をＤＶＩ規格若しくはＨＤＭＩ規格に基づいて行うことを特徴とする。
【００２７】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるクロックの送信を第１の所定の時間停止する制御手段とを備え、前記受信装置は、伝送路を介して前記送信手段に接続される受信手段と、前記受信手段が受信したクロックが第２の所定の時間停止したことを検出し、前記受信手段を再設定し表示をオフする再設定手段とを備えることを特徴とする。
【００２８】
本発明は、前記送受信装置において、前記第１の所定の時間は、前記第２の所定の時間よりも長いことを特徴とする。
【００２９】
本発明は、前記送受信装置において、前記受信装置に備える再設定手段は、前記受信手段をリセットすることにより再設定を行うことを特徴とする。
【００３０】
本発明は、前記送受信装置において、前記送信装置に備える送信手段は、データの送信をＤＶＩ規格若しくはＨＤＭＩ規格に基づいて行うことを特徴とする。
【００３１】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるクロックの送信を第１の所定の時間停止する制御手段とを備え、前記受信装置は、伝送路を介して前記送信手段に接続される受信手段と、前記受信手段が受信したクロックが第２の所定の時間停止したことを検出し、前記受信手段を再設定し表示をオフする再設定手段とを備え、前記送信装置に備える制御手段は、前記受信装置に備える受信手段の情報が予め与えられ、この受信手段の情報に基づいて、前記クロックの送信を停止する第１の所定の時間を設定することを特徴とする。
【００３２】
本発明は、前記送受信装置において、前記第１の所定の時間は、前記第２の所定の時間よりも長いことを特徴とする。
【００３３】
本発明は、前記送受信装置において、前記受信装置に備える再設定手段は、前記受信手段をリセットすることにより再設定を行うことを特徴とする。
【００３４】
本発明は、前記送受信装置において、前記送信装置に備える送信手段は、データの送信をＤＶＩ規格若しくはＨＤＭＩ規格に基づいて行うことを特徴とする。
【００３５】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるクロックの送信を第１の所定の時間停止する制御手段と、前記受信装置の情報を読み出す読み出し手段とを備え、前記受信装置は、伝送路を介して前記送信手段に接続される受信手段と、前記受信手段が受信したクロックが第２の所定の時間停止したことを検出し、前記受信手段を再設定し表示をオフする再設定手段と、前記受信手段又は前記再設定手段の情報を保持する情報保持手段とを備え、前記送信装置に備える読み出し手段は、前記情報保持手段の保持する情報を読み出し、前記送信装置に備える制御手段は、前記読み出し手段により読み出した前記情報保持手段の保持する情報に基づいて、前記クロックの送信を停止する第１の所定の時間を設定することを特徴とする。
【００３６】
本発明は、前記送受信装置において、前記受信装置に備える情報保持手段の保持する情報には、少なくとも前記受信手段又は前記再設定手段の製造者の情報が含まれていることを特徴とする。
【００３７】
本発明は、前記送受信装置において、前記第１の所定の時間は、前記第２の所定の時間よりも長いことを特徴とする。
【００３８】
本発明は、前記送受信装置において、前記受信装置に備える再設定手段は、前記受信手段をリセットすることにより再設定を行うことを特徴とする。
【００３９】
本発明は、前記送受信装置において、前記送信装置に備える送信手段は、データの送信をＤＶＩ規格若しくはＨＤＭＩ規格に基づいて行うことを特徴とする。
【００４０】
本発明の送信装置は、所定の期間データが停止することで表示をオフする保護機能を備えた受信装置にクロック及びデータを送信する送信装置であって、クロック及び前記クロックのＮ倍（Ｎは自然数）の周波数のクロックに同期したデータを送信する送信手段と、前記クロックの周波数切り替え時に、前記送信手段から送信されるデータの送信を所定の時間停止する制御手段とを備えたことを特徴とする。
【００４１】
本発明は、前記送信装置において、前記送信手段は、データの送信をＤＶＩ規格若しくはＨＤＭＩ規格に基づいて行うことを特徴とする。
【００４２】
本発明の送信装置は、所定の期間データが停止することで表示をオフする保護機能を備えた受信装置にクロック及びデータを送信する送信装置であって、クロック及び前記クロックのＮ倍（Ｎは自然数）の周波数のクロックに同期したデータを送信する送信手段と、前記クロックの周波数切り替え時に、前記送信手段から送信されるデータの送信を所定の時間停止する制御手段とを備え、前記制御手段は、前記受信装置の情報が予め与えられ、この受信装置の情報に基づいて、前記データの送信を停止する所定の時間を設定することを特徴とする。
【００４３】
本発明は、前記送信装置において、前記受信装置の情報には、少なくとも前記受信装置の製造者の情報が含まれていることを特徴とする。
【００４４】
本発明は、前記送信装置において、前記送信手段は、データの送信をＤＶＩ規格若しくはＨＤＭＩ規格に基づいて行うことを特徴とする。
【００４５】
本発明の送信装置は、所定の期間データが停止することで表示をオフする保護機能を備えた受信装置にクロック及びデータを送信する送信装置であって、クロック及び前記クロックのＮ倍（Ｎは自然数）の周波数のクロックに同期したデータを伝送路を介して受信装置に送信する送信手段と、前記クロックの周波数切り替え時に、前記送信手段から送信されるデータの送信を所定の時間停止する制御手段と、前記受信装置の情報を前記伝送路を介して前記受信装置から読み出す読み出し手段とを備え、前記制御手段は、前記読み出し手段により読み出した受信装置の情報に基づいて、前記データの送信を停止する所定の時間を設定することを特徴とする。
【００４６】
本発明は、前記送信装置において、前記受信装置の情報には、少なくとも前記受信装置の製造者の情報が含まれていることを特徴とする。
【００４７】
本発明は、前記送信装置において、前記送信手段は、データの送信をＤＶＩ規格若しくはＨＤＭＩ規格に基づいて行うことを特徴とする。
【００４８】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるデータの送信を第１の所定の時間停止する制御手段とを備え、前記受信装置は、伝送路を介して前記送信手段に接続される受信手段と、前記受信手段が受信したデータが第２の所定の時間停止したことを検出し、前記受信手段を再設定し表示をオフする再設定手段とを備えることを特徴とする。
【００４９】
本発明は、前記送受信装置において、前記第１の所定の時間は、前記第２の所定の時間よりも長いことを特徴とする。
【００５０】
本発明は、前記送受信装置において、前記受信装置に備える再設定手段は、前記受信手段をリセットすることにより再設定を行うことを特徴とする。
【００５１】
本発明は、前記送受信装置において、前記送信装置に備える送信手段は、データの送信をＤＶＩ規格若しくはＨＤＭＩ規格に基づいて行うことを特徴とする。
【００５２】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるデータの送信を第１の所定の時間停止する制御手段とを備え、前記受信装置は、伝送路を介して前記送信手段に接続される受信手段と、前記受信手段が受信したデータが第２の所定の時間停止したことを検出し、前記受信手段を再設定し表示をオフする再設定手段とを備え、前記送信装置に備える制御手段は、前記受信装置に備える受信手段の情報が予め与えられ、この受信手段の情報に基づいて、前記データの送信を停止する第１の所定の時間を設定することを特徴とする。
【００５３】
本発明は、前記送受信装置において、前記第１の所定の時間は、前記第２の所定の時間よりも長いことを特徴とする。
【００５４】
本発明は、前記送受信装置において、前記受信装置に備える再設定手段は、前記受信手段をリセットすることにより再設定を行うことを特徴とする。
【００５５】
本発明は、前記送受信装置において、前記送信装置に備える送信手段は、データの送信をＤＶＩ規格若しくはＨＤＭＩ規格に基づいて行うことを特徴とする。
【００５６】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるデータの送信を第１の所定の時間停止する制御手段と、前記受信装置の情報を読み出す読み出し手段とを備え、前記受信装置は、伝送路を介して前記送信手段に接続される受信手段と、前記受信手段が受信したデータが第２の所定の時間停止したことを検出し、前記受信手段を再設定し表示をオフする再設定手段と、前記受信手段又は前記再設定手段の情報を保持する情報保持手段とを備え、前記送信装置に備える読み出し手段は、前記情報保持手段の保持する情報を読み出し、前記送信装置に備える制御手段は、前記読み出し手段により読み出した前記情報保持手段の保持する情報に基づいて、前記データの送信を停止する第１の所定の時間を設定することを特徴とする。
【００５７】
本発明は、前記送受信装置において、前記受信装置に備える情報保持手段の保持する情報には、少なくとも前記受信手段又は前記再設定手段の製造者の情報が含まれていることを特徴とする。
【００５８】
本発明は、前記送受信装置において、前記第１の所定の時間は、前記第２の所定の時間よりも長いことを特徴とする。
【００５９】
本発明は、前記送受信装置において、前記受信装置に備える再設定手段は、前記受信手段をリセットすることにより再設定を行うことを特徴とする。
【００６０】
本発明は、前記送受信装置において、前記送信装置に備える送信手段は、データの送信をＤＶＩ規格若しくはＨＤＭＩ規格に基づいて行うことを特徴とする。
【００６１】
本発明の送信装置は、所定の期間クロック及びデータが停止することで表示をオフする保護機能を備えた受信装置にクロック及びデータを送信する送信装置であって、クロック及び前記クロックのＮ倍（Ｎは自然数）の周波数のクロックに同期したデータを送信する送信手段と、前記クロックの周波数切り替え時に、前記送信手段から送信されるクロック及びデータの送信を所定の時間停止する制御手段とを備えたことを特徴とする。
【００６２】
本発明は、前記送信装置において、前記送信手段は、データの送信をＤＶＩ規格若しくはＨＤＭＩ規格に基づいて行うことを特徴とする。
【００６３】
本発明の送信装置は、所定の期間クロック及びデータが停止することで表示をオフする保護機能を備えた受信装置にクロック及びデータを送信する送信装置であって、クロック及び前記クロックのＮ倍（Ｎは自然数）の周波数のクロックに同期したデータを送信する送信手段と、前記クロックの周波数切り替え時に、前記送信手段から送信されるクロック及びデータの送信を所定の時間停止する制御手段とを備え、前記制御手段は、前記受信装置の情報が予め与えられ、この受信装置の情報に基づいて、前記クロック及びデータの送信を停止する所定の時間を設定することを特徴とする。
【００６４】
本発明は、前記送信装置において、前記受信装置の情報には、少なくとも前記受信装置の製造者の情報が含まれていることを特徴とする。
【００６５】
本発明は、前記送信装置において、前記送信手段は、データの送信をＤＶＩ規格若しくはＨＤＭＩ規格に基づいて行うことを特徴とする。
【００６６】
本発明の送信装置は、所定の期間クロック及びデータが停止することで表示をオフする保護機能を備えた受信装置にクロック及びデータを送信する送信装置であって、クロック及び前記クロックのＮ倍（Ｎは自然数）の周波数のクロックに同期したデータを伝送路を介して受信装置に送信する送信手段と、前記クロックの周波数切り替え時に、前記送信手段から送信されるクロック及びデータの送信を所定の時間停止する制御手段と、前記受信装置の情報を前記伝送路を介して前記受信装置から読み出す読み出し手段とを備え、前記制御手段は、前記読み出し手段により読み出した受信装置の情報に基づいて、前記クロック及びデータの送信を停止する所定の時間を設定することを特徴とする。
【００６７】
本発明は、前記送信装置において、前記受信装置の情報には、少なくとも前記受信装置の製造者の情報が含まれていることを特徴とする。
【００６８】
本発明は、前記送信装置において、前記送信手段は、データの送信をＤＶＩ規格若しくはＨＤＭＩ規格に基づいて行うことを特徴とする。
【００６９】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるクロック及びデータの送信を第１の所定の時間停止する制御手段とを備え、前記受信装置は、伝送路を介して前記送信手段に接続される受信手段と、前記受信手段が受信したクロック又はデータが第２の所定の時間停止したことを検出し、前記受信手段を再設定し表示をオフする再設定手段とを備えることを特徴とする。
【００７０】
本発明は、前記送受信装置において、前記第１の所定の時間は、前記第２の所定の時間よりも長いことを特徴とする。
【００７１】
本発明は、前記送受信装置において、前記受信装置に備える再設定手段は、前記受信手段をリセットすることにより再設定を行うことを特徴とする。
【００７２】
本発明は、前記送受信装置において、前記送信装置に備える送信手段は、データの送信をＤＶＩ規格若しくはＨＤＭＩ規格に基づいて行うことを特徴とする。
【００７３】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるクロック及びデータの送信を第１の所定の時間停止する制御手段とを備え、前記受信装置は、伝送路を介して前記送信手段に接続される受信手段と、前記受信手段が受信したクロック又はデータが第２の所定の時間停止したことを検出し、前記受信手段を再設定し表示をオフする再設定手段とを備え、前記送信装置に備える制御手段は、前記受信装置に備える受信手段の情報が予め与えられ、この受信手段の情報に基づいて、前記データの送信を停止する第１の所定の時間を設定することを特徴とする。
【００７４】
本発明は、前記送受信装置において、前記第１の所定の時間は、前記第２の所定の時間よりも長いことを特徴とする。
【００７５】
本発明は、前記送受信装置において、前記受信装置に備える再設定手段は、前記受信手段をリセットすることにより再設定を行うことを特徴とする。
【００７６】
本発明は、前記送受信装置において、前記送信装置に備える送信手段は、データの送信をＤＶＩ規格若しくはＨＤＭＩ規格に基づいて行うことを特徴とする。
【００７７】
本発明の送受信装置は、クロック及びデータを送信する送信装置と、前記送信装置から送信されるクロック及びデータを受信する受信装置とを備えた送受信装置であって、前記送信装置は、クロック及び前記クロックのＮ倍（Ｎは自然数）の周波数のクロックに同期したデータを送信する送信手段と、前記クロックの周波数切り替え時に、前記送信手段から送信されるクロック及びデータの送信を第１の所定の時間停止する制御手段と、前記受信装置の情報を読み出す読み出し手段とを備え、前記受信装置は、伝送路を介して前記送信手段に接続される受信手段と、前記受信手段が受信したクロック又はデータが第２の所定の時間停止したことを検出し、前記受信手段を再設定し表示をオフする再設定手段と、前記受信手段又は前記再設定手段の情報を保持する情報保持手段とを備え、前記送信装置に備える読み出し手段は、前記情報保持手段の保持する情報を読み出し、前記送信装置に備える制御手段は、前記読み出し手段により読み出した前記情報保持手段の保持する情報に基づいて、前記クロック及びデータの送信を停止する第１の所定の時間を設定することを特徴とする。
【００７８】
本発明は、前記送受信装置において、前記受信装置に備える情報保持手段の保持する情報には、少なくとも前記受信手段又は前記再設定手段の製造者の情報が含まれていることを特徴とする。
【００７９】
本発明は、前記送受信装置において、前記第１の所定の時間は、前記第２の所定の時間よりも長いことを特徴とする。
【００８０】
本発明は、前記送受信装置において、前記受信装置に備える再設定手段は、前記受信手段をリセットすることにより再設定を行うことを特徴とする。
【００８１】
本発明は、前記送受信装置において、前記送信装置に備える送信手段は、データの送信をＤＶＩ規格若しくはＨＤＭＩ規格に基づいて行うことを特徴とする。
【００８２】
以上により、本発明では、クロックの周波数切り替え時に、送信手段から送信されるクロック及びデータの少なくとも一方の送信が制御手段によって所定の期間停止されるので、受信装置では、クロックの周波数変化に対する追従や、クロックとデータとの再同期を行う必要がないので、受信装置側のテレビ等でノイズが出現することが低減される。
【発明の効果】
【００８３】
以上説明したように、本発明によれば、クロックの周波数切り替え時には、受信装置側のテレビ等でのノイズの出現を低減できる。
【発明を実施するための最良の形態】
【００８４】
以下、本発明の実施形態の送信装置及び送受信装置を図面に基づいて説明する。
【００８５】
＜クロックの制御＞
（第１の実施形態）
図１は、本発明の第１の実施形態の送信装置の全体構成のブロック図を示す。
【００８６】
同図において、１１は制御回路（制御手段）、１２はゲート回路、１３はクロック制御回路、１４はエンコーダ、１５はパラレル・シリアル変換器、１６は１０逓倍ＰＬＬ、１７は分周器、１８はＭＰＥＧ２デコーダー、１９はマイコン、１１０はシリアル・パラレル変換器、１１１はデコーダ、１１２はクロック再生回路、１１３は分周器、１１４はテレビ、１１５はケーブルである。１１６は送信装置、１１７は受信装置であり、前記送信装置１１６から前記制御回路１１を除いた部分が送信手段である。
【００８７】
従来の技術の項で説明したものと同じ動作をするものについては、同じ番号を付した。従来の技術の項で説明したこれらのものについては、詳細な説明を省略する。ＤＶＩ規格やＨＤＭＩ規格では、３チャンネルでデータを送信するが、図１では簡略化のため、ＤＶＩ規格を例にとり１チャンネル伝送する場合について示した。
【００８８】
以下、図１を参照しながら、第１の実施形態の送信装置について説明する。
【００８９】
マイコン１９からの指示で、ＭＰＥＧ２デコーダー１８からは、ＳＤ信号やＨＤ信号が出力される。ＨＤ信号はＳＤ信号からアップコンバータによって生成してもよい。クロック制御回路１３は、マイコン１９からの指示でゲート回路１２を制御し、ケーブル１１５へのクロックの出力を所定の期間停止させる。
【００９０】
例えばＳＤ信号からＨＤ信号へ切り替える場合、信号の変化点で、マイコン１９から切り替えのトリガとなる信号がクロック制御回路１３へ出力される。クロック制御回路１３は、このトリガでカウンタを初期化し、所定の期間カウントすることで、所定の期間で「０」、その他の期間で「１」となる信号をゲート回路１２へ出力する。ゲート回路１２では、クロック制御回路１３の出力が「０」の期間出力を「０」にするので、所定の期間クロック出力が停止する。
【００９１】
所定の期間クロックが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号若しくは垂直同期信号が消失したことを検出し、表示を強制的に黒画面へと変更するので、見苦しいノイズが表示されなくなる。
【００９２】
クロックの送信を停止する所定の期間は、受信装置１１７とテレビ１１４の組み合わせによって異なるので、それらの中で最も長時間必要となるものに合致させればよい。
【００９３】
従って、本実施形態では、テレビ１１４へノイズが表示されることなく、ＳＤ信号からＨＤ信号、又はＨＤ信号からＳＤ信号といった周波数の変化する信号切り替えを行うことができる。
【００９４】
（第２の実施形態）
図２は、本発明の第２の実施形態の送信装置の全体構成のブロック図を示す。
【００９５】
同図において、２１は制御回路（制御手段）、２２はクロック制御回路、２３はリモートコントローラ（以下、リモコンと言う）、２４はマイコン、２５は送信装置である。前記送信装置２５から前記制御回路２１を除いた部分が送信手段である。
【００９６】
図１と従来の技術の項で説明したものと同じ動作をするものについては、同じ番号を付した。第１の実施形態及び従来の技術で説明したこれらのものについては、詳細な説明を省略する。ＤＶＩ規格やＨＤＭＩ規格では、３チャンネルでデータを送信するが、図２は簡略化のため、ＤＶＩ規格を例にとり１チャンネル伝送する場合について示した。
【００９７】
以下、図２を参照しながら、第２の実施形態の送信装置について説明する。
【００９８】
まず、リモコン２３を用いて、前記制御回路２１に前記受信装置１１７の製造メーカー（製造者）の情報を与える。例えば、グラフィカル・ユーザー・インターフェース（以下、ＧＵＩと言う）により、製造メーカーの一覧表の中から該当のものを選択する。マイコン２４はＧＵＩを処理し、受信装置１１７がどの製造メーカーのものであるか判断し、クロック制御回路２２へ伝達する。クロック制御回路２２には、製造メーカーとクロック停止時間との対応表があり、設定された製造メーカーに応じてクロック停止時間を決定する。この際、カウンタのカウント数を製造メーカー毎に設定すればよい。
【００９９】
例えばＳＤ信号からＨＤ信号へ切り替える場合、信号の変化点で、マイコン２４から切り替えのトリガとなる信号がクロック制御回路２２へ出力される。クロック制御回路２２は、このトリガでカウンタを初期化し、設定された期間カウントすることで、設定された期間で「０」、その他の期間で「１」となる信号をゲート回路１２へ出力する。ゲート回路１２では、クロック制御回路２２の出力が「０」の期間出力を「０」にするので、設定された期間クロック出力が停止する。すなわち、製造メーカーＡでは１００ｍｓｅｃの期間停止、製造メーカーＢでは２００ｍｓｅｃの期間停止とすることができる。
【０１００】
設定された期間クロックが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号もしくは垂直同期信号が消失したことを検出し、表示を強制的に黒画面へと変更するので、見苦しいノイズが表示されなくなる。
【０１０１】
従って、本実施形態では、製造メーカー毎に、クロックを停止する期間が受信装置１１７、テレビ１１４に対して最適化されているので、短期間でテレビ１１４にノイズが表示されることなく、ＳＤ信号からＨＤ信号、又はＨＤ信号からＳＤ信号といったクロック周波数が変化する信号切り替えを行うことができる。
【０１０２】
（第３の実施形態）
図３は、本発明の第３の実施形態の送信装置の全体構成のブロック図を示す。
【０１０３】
同図において、３１はＥＤＩＤ（Ｅｘｔｅｎｄｅｄ  Ｄｉｓｐｌａｙ  Ｉｄｅｎｔｉｆｉｃａｔｉｏｎ  Ｄａｔａ）、３２はマイコンである。図１、図２及び従来の技術の項で説明したものと同じ動作をするものについては、同じ番号を付した。第１及び第２の実施形態と従来の技術で説明したこれらのものについては、詳細な説明を省略する。ＤＶＩ規格やＨＤＭＩ規格では、３チャンネルでデータを送信するが、図３は簡略化のため、ＤＶＩ規格を例にとり１チャンネル伝送する場合について示した。
【０１０４】
以下、図３を参照しながら、第３の実施形態の送信装置について説明する。
【０１０５】
ＥＤＩＤ３１には、受信装置１１７やテレビ１１４の各種情報が記録されている。例えばテレビ１１４が表示可能な解像度、出音可能なオーディオサンプルレート、製造メーカーや製品品番等である。マイコン３２には、ケーブル１１５を介してＥＤＩＤ３１にアクセスし、各種情報を入手する読み出し回路（読み出し手段）が備えられている。入手した情報の中から製造メーカーを抽出し、クロック制御回路２２の設定を行う。クロック制御回路２２には、製造メーカーとクロック停止時間との対応表があり、設定された製造メーカーに応じてクロック停止時間を決定する。これには、カウンタのカウント数を製造メーカー毎に設定する。
【０１０６】
例えばＳＤ信号からＨＤ信号へ切り替える場合、信号の変化点で、マイコン３２から切り替えのトリガとなる信号がクロック制御回路２２へ出力される。クロック制御回路２２は、このトリガでカウンタを初期化し、設定された期間カウントすることで、設定された期間で「０」、その他の期間で「１」となる信号をゲート回路１２へ出力する。ゲート回路１２では、クロック制御回路２２の出力が「０」の期間出力を「０」にするので、設定された期間クロック出力が停止する。すなわち、製造メーカーＡでは１００ｍｓｅｃ期間停止、製造メーカーＢでは２００ｍｓｅｃ期間停止とすることができる。
【０１０７】
設定された期間クロックが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号もしくは垂直同期信号が消失したことを検出し、表示を強制的に黒画面へと変更するので、見苦しいノイズが表示されなくなる。
【０１０８】
従って、本実施形態では、マイコン３２がＥＤＩＤ３１の情報を読みとり、クロックを停止する期間を受信装置１１７、テレビ１１４に対して自動的に最適化するので、短期間でテレビ１１４にノイズが表示されることなく、ＳＤ信号からＨＤ信号、又はＨＤ信号からＳＤ信号といったクロック周波数が変化する信号切り替えを行うことができる。
【０１０９】
尚、以上の説明では、クロック出力を所定の期間「０」としてクロックを停止する場合について説明したが、クロック出力を所定の期間「１」としてクロックを停止してもよいし、所定の期間ハイインピーダンスとしても、終端抵抗により「０」又は「１」に固定されるので同様の効果がある。
【０１１０】
また、所定の期間をケーブル１１５でノイズが付加されても誤動作しない程度に短くすれば、テレビ１１４へのノイズの表示を抑圧しつつ、周波数の変化する信号切り替えを高速に行うことができる。さらにケーブル１１５の長さに応じて、所定の期間を最適化してもよい。これには例えば、送信装置２５、１１６、受信装置１１７の使用者がＧＵＩを利用してケーブル長を設定し、設定されたケーブル長毎にクロック制御回路１３、２２が所定の期間を決定すればよい。
【０１１１】
加えて、以上の説明では、ＤＶＩ規格を例にとって説明したが、ＨＤＭＩ規格に対しても同様の効果がある。また、ＤＶＩ規格、ＨＤＭＩ規格に限らず、同様の送受信を行う方式であれば同様の効果がある。
【０１１２】
（第４の実施形態）
図４は、本発明の第４の実施形態の送受信装置の全体構成のブロック図を示す。
【０１１３】
同図において、４１はクロック再生回路、４２は再設定回路（再設定手段）、４３は受信装置であり，送信装置１１６と受信装置４３とによって送受信装置が構成されている。前記受信装置４３から前記再設定回路４２を除いた部分が受信手段である。
【０１１４】
図１及び従来の技術の項で説明したものと同じ動作をするものについては、同じ番号を付した。第１の実施形態と従来の技術の項で説明したこれらのものについては、詳細な説明を省略する。ＤＶＩ規格やＨＤＭＩ規格では、３チャンネルでデータを送信するが、図４は簡略化のため、ＤＶＩ規格を例にとり１チャンネル伝送する場合について示した。
【０１１５】
以下、図４を参照しながら、第４の実施形態の送受信装置について説明する。
【０１１６】
マイコン１９からの指示で、ＭＰＥＧ２デコーダー１８からは、ＳＤ信号やＨＤ信号が出力される。ＨＤ信号はＳＤ信号からアップコンバータによって生成してもよい。クロック制御回路１３は、マイコン１９からの指示でゲート回路１２を制御し、ケーブル１１５へのクロックの出力を第１の所定の期間停止させる。
【０１１７】
例えばＳＤ信号からＨＤ信号へ切り替える場合、信号の変化点で、マイコン１９から切り替えのトリガとなる信号がクロック制御回路１３へ出力される。クロック制御回路１３は、このトリガでカウンタを初期化し、第１の所定の期間カウントすることで、第１の所定の期間で「０」、その他の期間で「１」となる信号をゲート回路１２へ出力する。ゲート回路１２では、クロック制御回路１３の出力が「０」の期間出力を「０」にするので、第１の所定の期間クロック出力が停止する。
【０１１８】
第１の所定の期間クロックが停止すると、クロック再生回路４１はこれを検出し、クロックが停止していることを再設定回路４２へ出力する。再設定回路４２ではクロックの停止状態をカウントし、第２の所定の期間クロックが停止していた場合に受信装置４３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０１１９】
第１の所定の期間を第２の所定の期間よりも長く設定することで、送信装置１１６は受信装置４３に信号の変化点を確実に知らせることができ、受信装置４３を確実に初期化できる。第２の所定の期間は、ケーブル１１５でノイズが付加されても誤動作しない程度に長くすればよく、例えば１００ｍｓｅｃである。これに対して第１の所定の期間を十分長くとればよいので、例えば２００ｍｓｅｃとすればよい。
【０１２０】
従って、本実施形態では、テレビ１１４へノイズが表示されることなく、ＳＤ信号からＨＤ信号、又はＨＤ信号からＳＤ信号といった周波数の変化する信号切り替えを行うことができる。
【０１２１】
（第５の実施形態）
図５は、本発明の第５の実施形態の送受信装置の全体構成のブロック図を示す。
【０１２２】
同図において、送信装置２５と受信装置４３とによって送受信装置が構成されている。図１、図２、図４及び従来の技術の項で説明したものと同じ動作をするものについては、同じ番号を付した。第１、２、４の実施形態と従来の技術で説明したこれらのものについては、詳細な説明を省略する。ＤＶＩ規格やＨＤＭＩ規格では、３チャンネルでデータを送信するが、図５は簡略化のため、ＤＶＩ規格を例にとり１チャンネル伝送する場合について示した。
【０１２３】
以下、図５を参照しながら、第５の実施形態の送受信装置について説明する。
【０１２４】
まず、リモコン２３を用いて、制御回路２１に前記受信装置４３の製造メーカーの情報を与える。例えば、ＧＵＩにより、製造メーカーの一覧表の中から該当のものを選択する。マイコン２４はＧＵＩを処理し、受信装置４３がどの製造メーカーのものであるか判断し、クロック制御回路２２へ伝達する。クロック制御回路２２には、製造メーカーとクロック停止時間との対応表があり、設定された製造メーカーに応じてクロック停止時間を決定する。これには、カウンタのカウント数を製造メーカー毎に設定すればよい。
【０１２５】
例えばＳＤ信号からＨＤ信号へ切り替える場合、信号の変化点で、マイコン２４から切り替えのトリガとなる信号がクロック制御回路２２へ出力される。クロック制御回路２２は、このトリガでカウンタを初期化し、設定された期間カウントすることで、設定された期間で「０」、その他の期間で「１」となる信号をゲート回路１２へ出力する。ゲート回路１２では、クロック制御回路２２の出力が「０」の期間出力を「０」にするので、設定された第１の所定の期間クロック出力が停止する。すなわち、製造メーカーＡでは１００ｍｓｅｃ期間停止、製造メーカーＢでは２００ｍｓｅｃ期間停止とすることができる。
【０１２６】
第１の所定の期間クロックが停止すると、クロック再生回路４１はこれを検出し，クロックが停止していることを再設定回路４２へ出力する。再設定回路４２ではクロックの停止状態をカウントし、第２の所定の期間クロックが停止していた場合に受信装置４３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０１２７】
第１の所定の期間を第２の所定の期間よりも長く設定することで、送信装置１１６は受信装置４３に信号の変化点を確実に知らせることができる。第２の所定の期間は、ケーブル１１５でノイズが付加されても誤動作しない程度に長くすればよく、例えば製造メーカーＡでは５０ｍｓｅｃ、製造メーカーＢでは１００ｍｓｅｃである。上述の第１の所定の期間は、第２の所定の期間よりも十分に長い期間であり、メーカー毎に設定される。このため受信装置１１７へ信号の変化点を確実に知らせることができ、この変化点で受信装置１１７を確実に初期化できる。
【０１２８】
従って、本実施形態では、製造メーカー毎に、クロックを停止する期間が受信装置１１７、テレビ１１４に対して最適化されているので、短期間でテレビ１１４にノイズが表示されることなく、ＳＤ信号からＨＤ信号、又はＨＤ信号からＳＤ信号といったクロック周波数が変化する信号切り替えを行うことができる。
【０１２９】
（第６の実施形態）
図６は、本発明の第６の実施形態の送受信装置の全体構成のブロック図を示す。
【０１３０】
同図において、送信装置２５と受信装置４３とによって送受信装置が構成されている。図１〜図４及び従来の技術の項で説明したものと同じ動作をするものについては、同じ番号を付した。第１〜４の実施形態と従来の技術で説明したこれらのものについては、詳細な説明を省略する。ＤＶＩ規格やＨＤＭＩ規格では、３チャンネルでデータを送信するが、図６は簡略化のため、ＤＶＩ規格を例にとり１チャンネル伝送する場合について示した。
【０１３１】
以下、図６を参照しながら、第６の実施形態の送受信装置について説明する。
【０１３２】
ＥＤＩＤ３１には、受信装置４３（受信手段及び再設定手段）やテレビ１１４の各種情報が記録されている。例えばテレビ１１４が表示可能な解像度、出音可能なオーディオサンプルレート、製造メーカーや製品品番等である。このＥＤＩＤ３１は、受信装置４３に備える情報保持手段（図示せず）に保持されている。マイコン３２には、ケーブル１１５を介してＥＤＩＤ３１にアクセスし、各種情報を入手する読み出し回路（読み出し手段）が備えられている。入手した情報の中から製造メーカーを抽出し、クロック制御回路２２へ設定する。クロック制御回路２２には、製造メーカーとクロック停止時間との対応表があり、設定された製造メーカーに応じてクロック停止時間を決定する。これには、カウンタのカウント数を製造メーカー毎に設定すればよい。
【０１３３】
例えばＳＤ信号からＨＤ信号へ切り替える場合、信号の変化点で、マイコン３２から切り替えのトリガとなる信号がクロック制御回路２２へ出力される。クロック制御回路２２は、このトリガでカウンタを初期化し、設定された期間カウントすることで、設定された期間で「０」、その他の期間で「１」となる信号をゲート回路１２へ出力する。ゲート回路１２では、クロック制御回路２２の出力が「０」の期間出力を「０」にするので、設定された第１の所定の期間クロック出力が停止する。すなわち、製造メーカーＡでは１００ｍｓｅｃ期間停止、製造メーカーＢでは２００ｍｓｅｃ期間停止とすることができる。
【０１３４】
第１の所定の期間クロックが停止すると、クロック再生回路４１はこれを検出し，クロックが停止していることを再設定回路４２へ出力する。再設定回路４２ではクロックの停止状態をカウントし、第２の所定の期間クロックが停止していた場合に受信装置４３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０１３５】
第１の所定の期間を第２の所定の期間よりも長く設定することで、送信装置２５は受信装置４３に信号の変化点を確実に知らせることができる。第２の所定の期間は、ケーブル１１５でノイズが付加されても誤動作しない程度に長くすればよく、例えば製造メーカーＡでは５０ｍｓｅｃ、製造メーカーＢでは１００ｍｓｅｃである。上述の第１の所定の期間は、第２の所定の期間よりも十分に長い期間であり、メーカー毎に設定される。このため受信装置４３へ信号の変化点を確実に知らせることができ、この変化点で受信装置４３を確実に初期化できる。
【０１３６】
従って、本実施形態では、マイコン３２がＥＤＩＤ３１の情報を読みとり、クロックを停止する期間を受信装置４３、テレビ１１４に対して自動的に最適化するので、短期間でテレビ１１４にノイズが表示されることなく、ＳＤ信号からＨＤ信号、又はＨＤ信号からＳＤ信号といったクロック周波数が変化する信号切り替えを行うことができる。
【０１３７】
尚、以上の説明では、クロック出力を所定の期間「０」としてクロックを停止する場合について説明したが、クロック出力を所定の期間「１」としてクロックを停止してもよいし、所定の期間ハイインピーダンスとしても、終端抵抗により「０」又は「１」に固定されるので同様の効果がある。
【０１３８】
また、第１の所定の期間と第２の所定の期間を、ケーブル１１５でノイズが付加されても誤動作しない程度に短くすれば、テレビ１１４へのノイズの表示を抑圧しつつ、周波数の変化する信号切り替えを高速に行うことができる。さらにケーブル１１５の長さに応じて、第１の所定の期間と第２の所定の期間を最適化してもよい。これには例えば、送信装置２５、１１６、受信装置４３の使用者がＧＵＩを利用してケーブル長を設定し、設定されたケーブル長毎にクロック制御回路２２が第１の所定の期間を、再設定回路４２が第２の所定の期間を決定すればよい。
【０１３９】
さらに、再設定回路４２が受信装置４３あるいはテレビ１１４をリセットする場合について説明したが、信号切り替えが高速に行われるように受信装置４３あるいはテレビ１１４を再設定してもよい。例えばデコーダ１１１の出力を一次停止しつつ、クロック再生回路４１のフィルタの時定数を変更し、信号切り替え時にのみ通常時より高速応答させてもよい。これによってテレビ１１４に黒画面が表示される時間を短縮することができる。
【０１４０】
加えて、以上の説明では、ＤＶＩ規格を例にとって説明したが、ＨＤＭＩ規格に対しても同様の効果がある。また、ＤＶＩ規格、ＨＤＭＩ規格に限らず、同様の送受信を行う方式であれば同様の効果がある。
【０１４１】
＜データの制御＞
（第７の実施形態）
図７は、本発明の第７の実施形態の送信装置の全体構成のブロック図を示す。
【０１４２】
同図において、７１は制御回路（制御手段）、７２はゲート回路、７３はデータ制御回路、７４はマイコン、７５は送信装置である。前記送信装置７５から前記制御回路７１を除いた部分が送信手段である。
【０１４３】
図１及び従来の技術の項で説明したものと同じ動作をするものについては、同じ番号を付した。第１の実施形態、従来の技術の項で説明したこれらのものについては、詳細な説明を省略する。ＤＶＩ規格やＨＤＭＩ規格では、３チャンネルでデータを送信するが、図７簡略化のため、ＤＶＩ規格を例にとり１チャンネル伝送する場合について示した。
【０１４４】
以下、図７を参照しながら、第７の実施形態の送信装置について説明する。
【０１４５】
マイコン７４からの指示で、ＭＰＥＧ２デコーダー１８からは、ＳＤ信号やＨＤ信号が出力される。ＨＤ信号はＳＤ信号からアップコンバータによって生成してもよい。データ制御回路７３は、マイコン７４からの指示でゲート回路７２を制御し、ケーブル１１５へのデータの出力を所定の期間停止させる。
【０１４６】
例えばＳＤ信号からＨＤ信号へ切り替える場合、信号の変化点で、マイコン７４から切り替えのトリガとなる信号がデータ制御回路７３へ出力される。データ制御回路７３は、このトリガでカウンタを初期化し、所定の期間カウントすることで、所定の期間で「０」、その他の期間で「１」となる信号をゲート回路７２へ出力する。ゲート回路７２では、データ制御回路７３の出力が「０」の期間出力を「０」にするので、所定の期間データ出力が停止する。
【０１４７】
所定の期間データが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号もしくは垂直同期信号が消失したことを検出し、表示を強制的に黒画面へと変更するので、見苦しいノイズが表示されなくなる。
【０１４８】
データの送信を停止する所定の期間は、受信装置１１７とテレビ１１４の組み合わせによって異なるので、それらの中で最も長時間必要となるものに合致させればよい。
【０１４９】
従って、本実施形態では、テレビ１１４へノイズが表示されることなく、ＳＤ信号からＨＤ信号、又はＨＤ信号からＳＤ信号といった周波数の変化する信号切り替えを行うことができる。
【０１５０】
（第８の実施形態）
図８は、本発明の第８の実施形態の送信装置の全体構成のブロック図を示す。
【０１５１】
同図において、８１は制御回路（制御手段）、８２はデータ制御回路、８３はマイコン、８４は送信装置である。前記送信装置８４から前記制御回路８１を除いた部分が送信手段である。図１、図２、図７及び従来の技術の項で説明したものと同じ動作をするものについては、同じ番号を付した。第１、２、７の実施形態と従来の技術で説明したこれらのものについては、詳細な説明を省略する。ＤＶＩ規格やＨＤＭＩ規格では、３チャンネルでデータを送信するが、図８簡略化のため、ＤＶＩ規格を例にとり１チャンネル伝送する場合について示した。
【０１５２】
まず、リモコン２３を用いて、前記制御回路８１に前記受信装置１１７の製造メーカー（製造者）の情報を与える。例えば、ＧＵＩにより、製造メーカーの一覧表の中から該当のものを選択する。マイコン８３はＧＵＩを処理し、受信装置１１７がどの製造メーカーのものであるか判断し、データ制御回路８２へ伝達する。データ制御回路８２には、製造メーカーとデータ停止時間との対応表があり、設定された製造メーカーに応じてデータ停止時間を決定する。これには、カウンタのカウント数を製造メーカー毎に設定すればよい。
【０１５３】
例えばＳＤ信号からＨＤ信号へ切り替える場合、信号の変化点で、マイコン８３から切り替えのトリガとなる信号がデータ制御回路８２へ出力される。データ制御回路８２は、このトリガでカウンタを初期化し、設定された期間カウントすることで、設定された期間で「０」、その他の期間で「１」となる信号をゲート回路７２へ出力する。ゲート回路７２では、データ制御回路８２の出力が「０」の期間出力を「０」にするので、設定された期間データ出力が停止する。すなわち、製造メーカーＡでは１００ｍｓｅｃ期間停止、製造メーカーＢでは２００ｍｓｅｃ期間停止とすることができる。
【０１５４】
設定された期間データが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号もしくは垂直同期信号が消失したことを検出し、表示を強制的に黒画面へと変更するので、見苦しいノイズが表示されなくなる。
【０１５５】
従って、本実施形態では、製造メーカー毎に、データを停止する期間が受信装置１１７、テレビ１１４に対して最適化されているので、短期間でテレビ１１４にノイズが表示されることなく、ＳＤ信号からＨＤ信号、又はＨＤ信号からＳＤ信号といったクロック周波数が変化する信号切り替えを行うことができる。
【０１５６】
（第９の実施形態）
図９は、本発明の第９の実施形態の送信装置の全体構成のブロック図を示す。
【０１５７】
同図において、９１はマイコンである。図１、図３、図７、図８及び従来の技術の項で説明したものと同じ動作をするものについては、同じ番号を付した。第１、３、７、８の実施形態と従来の技術で説明したこれらのものについては、詳細な説明を省略する。ＤＶＩ規格やＨＤＭＩ規格では、３チャンネルでデータを送信するが、図９は簡略化のため、ＤＶＩ規格を例にとり１チャンネル伝送する場合について示した。
【０１５８】
以下、図９を参照しながら、第９の実施形態の送信装置について説明する。
【０１５９】
ＥＤＩＤ３１には、受信装置１１７やテレビ１１４の各種情報が記録されている。例えばテレビ１１４が表示可能な解像度、出音可能なオーディオサンプルレート、製造メーカーや製品品番等である。マイコン９１には、ケーブル１１５を介してＥＤＩＤ３１にアクセスし、各種情報を入手する読み出し回路（読み出し手段）が備えられている。入手した情報の中から製造メーカーを抽出し、データ制御回路８２へ設定する。データ制御回路８２には、製造メーカーとデータ停止時間との対応表があり、設定された製造メーカーに応じてデータ停止時間を決定する。これには、カウンタのカウント数を製造メーカー毎に設定すればよい。
【０１６０】
例えばＳＤ信号からＨＤ信号へ切り替える場合、信号の変化点で、マイコン９１から切り替えのトリガとなる信号がデータ制御回路８２へ出力される。データ制御回路８２は、このトリガでカウンタを初期化し、設定された期間カウントすることで、設定された期間で「０」、その他の期間で「１」となる信号をゲート回路７２へ出力する。ゲート回路７２では、データ制御回路８２の出力が「０」の期間出力を「０」にするので、設定された期間データ出力が停止する。すなわち、製造メーカーＡでは１００ｍｓｅｃ期間停止、製造メーカーＢでは２００ｍｓｅｃ期間停止とすることができる。
【０１６１】
設定された期間データが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号もしくは垂直同期信号が消失したことを検出し、表示を強制的に黒画面へと変更するため、見苦しいノイズが表示されなくなる。
【０１６２】
従って、本実施形態では、マイコン９１がＥＤＩＤ３１の情報を読みとり、データを停止する期間を受信装置１１７、テレビ１１４に対して自動的に最適化するので、短期間でテレビ１１４にノイズが表示されることなく、ＳＤ信号からＨＤ信号、又はＨＤ信号からＳＤ信号といったクロック周波数が変化する信号切り替えを行うことができる。
【０１６３】
尚、以上の説明では、データ出力を所定の期間「０」としてデータを停止する場合について説明したが、データ出力を所定の期間「１」としてデータを停止してもよいし、所定の期間ハイインピーダンスとしても、終端抵抗により「０」又は「１」に固定されるので同様の効果がある。
【０１６４】
また、所定の期間をケーブル１１５でノイズが付加されても誤動作しない程度に短くすれば、テレビ１１４へのノイズの表示を抑圧しつつ、周波数の変化する信号切り替えを高速に行うことができる。さらにケーブル１１５の長さに応じて、所定の期間を最適化してもよい。これには例えば、送信装置７５、８４、受信装置１１７の使用者がＧＵＩを利用してケーブル長を設定し、設定されたケーブル長毎にデータ制御回路７３、８２が所定の期間を決定すればよい。
【０１６５】
加えて、以上の説明では、ＤＶＩ規格を例にとって説明したが、ＨＤＭＩ規格に対しても同様の効果がある。また、ＤＶＩ規格、ＨＤＭＩ規格に限らず、同様の送受信を行う方式であれば同様の効果がある。
【０１６６】
（第１０の実施形態）
図１０は、本発明の第１０の実施形態の送受信装置の全体構成のブロック図を示す。
【０１６７】
同図において、１０１はクロック再生回路、１０２は再設定回路（再設定手段）、１０３は受信装置であり、送信装置７５と受信装置１０３で送受信装置が構成されている。前記受信装置１０３から前記再設定回路１０２を除いた部分が受信手段である。
【０１６８】
図１、図７及び従来の技術の項で説明したものと同じ動作をするものについては、同じ番号を付した。第１、７の実施形態と従来の技術の項で説明したこれらのものについては、詳細な説明を省略する。ＤＶＩ規格やＨＤＭＩ規格では、３チャンネルでデータを送信するが、図１０は簡略化のため、ＤＶＩ規格を例にとり１チャンネル伝送する場合について示した。
【０１６９】
以下、図１０を参照しながら、第１０の実施形態の送受信装置について説明する。
【０１７０】
マイコン７４からの指示で、ＭＰＥＧ２デコーダー１８からは、ＳＤ信号やＨＤ信号が出力される。ＨＤ信号はＳＤ信号からアップコンバータによって生成してもよい。データ制御回路７３は、マイコン７４からの指示でゲート回路７２を制御し、ケーブル１１５へのデータの出力を第１の所定の期間停止させる。
【０１７１】
例えばＳＤ信号からＨＤ信号へ切り替える場合、信号の変化点で、マイコン７４から切り替えのトリガとなる信号がデータ制御回路７３へ出力される。データ制御回路７３は、このトリガでカウンタを初期化し、第１の所定の期間カウントすることで、第１の所定の期間で「０」、その他の期間で「１」となる信号をゲート回路７２へ出力する。ゲート回路７２では、データ制御回路７３の出力が「０」の期間出力を「０」にするので、第１の所定の期間データ出力が停止する。
【０１７２】
第１の所定の期間データが停止すると、クロック再生回路１０１はこれを検出し，データが停止していることを再設定回路１０２へ出力する。再設定回路１０２ではデータの停止状態をカウントし、第２の所定の期間データが停止していた場合に受信装置１０３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０１７３】
第１の所定の期間を第２の所定の期間よりも長く設定することで、送信装置７５は受信装置１０３に信号の変化点を確実に知らせることができ、受信装置１０３を確実に初期化できる。第２の所定の期間は、ケーブル１１５でノイズが付加されても誤動作しない程度に長くすればよく、例えば１００ｍｓｅｃである。これに対して第１の所定の期間を十分長くとればよいので、例えば２００ｍｓｅｃとすればよい。
【０１７４】
従って、本実施形態では、テレビ１１４へノイズが表示されることなく、ＳＤ信号からＨＤ信号、又はＨＤ信号からＳＤ信号といった周波数の変化する信号切り替えを行うことができる。
【０１７５】
（第１１の実施形態）
図１１は、本発明の第１１の実施形態の送受信装置の全体構成のブロック図を示す。
【０１７６】
同図において、送信装置８４と受信装置１０３とによって送受信装置が構成されている。図１、図２、図７、図８、図１０と従来の技術の項で説明したものと同じ動作をするものについては、同じ番号を付した。第１、２、７、８、１０の実施形態と従来の技術で説明したこれらのものについては、詳細な説明を省略する。ＤＶＩ規格やＨＤＭＩ規格では、３チャンネルでデータを送信するが、図１１は簡略化のため、ＤＶＩ規格を例にとり１チャンネル伝送する場合について示した。
【０１７７】
以下、図１１を参照しながら、第１１の実施形態の送受信装置について説明する。
【０１７８】
まず、リモコン２３を用いて、制御回路８１に前記受信装置１０３の製造メーカーの情報を与える。例えば、ＧＵＩにより、製造メーカーの一覧表の中から該当のものを選択する。マイコン８３はＧＵＩを処理し、受信装置１０３がどの製造メーカーのものであるか判断し、データ制御回路８２へ伝達する。データ制御回路８２には、製造メーカーとクロック停止時間との対応表があり、設定された製造メーカーに応じてクロック停止時間を決定する。これには、カウンタのカウント数を製造メーカー毎に設定すればよい。
【０１７９】
例えばＳＤ信号からＨＤ信号へ切り替える場合、信号の変化点で、マイコン８３から切り替えのトリガとなる信号がデータ制御回路８２へ出力される。データ制御回路８２は、このトリガでカウンタを初期化し、設定された期間カウントすることで、設定された期間で「０」、その他の期間で「１」となる信号をゲート回路７２へ出力する。ゲート回路７２では、データ制御回路８２の出力が「０」の期間出力を「０」にするので、設定された第１の所定の期間データ出力が停止する。すなわち、製造メーカーＡでは１００ｍｓｅｃ期間停止、製造メーカーＢでは２００ｍｓｅｃ期間停止とすることができる。
【０１８０】
第１の所定の期間データが停止すると、クロック再生回路１０１はこれを検出し，データが停止していることを再設定回路１０２へ出力する。再設定回路１０２ではデータの停止状態をカウントし、第２の所定の期間データが停止していた場合に受信装置１０３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０１８１】
第１の所定の期間を第２の所定の期間よりも長く設定することで、送信装置８４は受信装置１０３に信号の変化点を確実に知らせることができる。第２の所定の期間は、ケーブル１１５でノイズが付加されても誤動作しない程度に長くすればよく、例えば製造メーカーＡでは５０ｍｓｅｃ、製造メーカーＢでは１００ｍｓｅｃである。上述の第１の所定の期間は、第２の所定の期間よりも十分に長い期間であり、メーカー毎に設定される。このため受信装置１０３へ信号の変化点を確実に知らせることができ、この変化点で受信装置１０３を確実に初期化できる。
【０１８２】
従って、本実施形態では、製造メーカー毎に、データを停止する期間が受信装置１０３、テレビ１１４に対して最適化されているので、短期間かつテレビ１１４へノイズが表示されることなく、ＳＤ信号からＨＤ信号、又はＨＤ信号からＳＤ信号といったクロック周波数が変化する信号切り替えを行うことができる。
【０１８３】
（第１２の実施形態）
図１２は、本発明の第１２の実施形態の送受信装置の全体構成のブロック図を示す。
【０１８４】
送信装置８４と受信装置１０３とによって送受信装置が構成されている。図１，図３、図７〜図１０と従来の技術の項で説明したものと同じ動作をするものについては、同じ番号を付した。第１、３、７〜１０の実施形態と従来の技術で説明したこれらのものについては、詳細な説明を省略する。ＤＶＩ規格やＨＤＭＩ規格では、３チャンネルでデータを送信するが、図１２は簡略化のため、ＤＶＩ規格を例にとり１チャンネル伝送する場合について示した。
【０１８５】
以下、図１２を参照しながら、第１２の実施形態の送受信装置について説明する。
【０１８６】
ＥＤＩＤ３１には、受信装置１０３（受信手段及び再設定手段）やテレビ１１４の各種情報が記録されている。例えばテレビ１１４が表示可能な解像度、出音可能なオーディオサンプルレート、製造メーカーや製品品番等である。このＥＤＩＤ３１は、受信装置１０３に備える情報保持手段（図示せず）に保持されている。マイコン９１には、ケーブル１１５を介してＥＤＩＤ３１にアクセスし、各種情報を入手する読み出し回路（読み出し手段）が備えられている。入手した情報の中から製造メーカーを抽出し、データ制御回路８２へ設定する。データ制御回路８２には、製造メーカーとデータ停止時間との対応表があり、設定された製造メーカーに応じてデータ停止時間を決定する。これには、カウンタのカウント数を製造メーカー毎に設定すればよい。
【０１８７】
例えばＳＤ信号からＨＤ信号へ切り替える場合、信号の変化点で、マイコン９１から切り替えのトリガとなる信号がデータ制御回路８２へ出力される。データ制御回路８２は、このトリガでカウンタを初期化し、設定された期間カウントすることで、設定された期間で「０」、その他の期間で「１」となる信号をゲート回路７２へ出力する。ゲート回路７２では、データ制御回路８２の出力が「０」の期間出力を「０」にするので、設定された第１の所定の期間データ出力が停止する。すなわち、製造メーカーＡでは１００ｍｓｅｃ期間停止、製造メーカーＢでは２００ｍｓｅｃ期間停止とすることができる。
【０１８８】
第１の所定の期間データが停止すると、クロック再生回路１０１はこれを検出し，データが停止していることを再設定回路１０２へ出力する。再設定回路１０２ではデータの停止状態をカウントし、第２の所定の期間データが停止していた場合に受信装置１０３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０１８９】
第１の所定の期間を第２の所定の期間よりも長く設定することで、送信装置８４は受信装置１０３に信号の変化点を確実に知らせることができる。第２の所定の期間は、ケーブル１１５でノイズが付加されても誤動作しない程度に長くすればよく、例えば製造メーカーＡでは５０ｍｓｅｃ、製造メーカーＢでは１００ｍｓｅｃである。上述の第１の所定の期間は、第２の所定の期間よりも十分に長い期間であり、メーカー毎に設定される。このため受信装置１０３へ信号の変化点を確実に知らせることができ、この変化点で受信装置１０３を確実に初期化できる。
【０１９０】
従って、本実施形態では、マイコン９１がＥＤＩＤ３１の情報を読みとり、データを停止する期間を受信装置１０３、テレビ１１４に対して自動的に最適化するので、短期間でテレビ１１４にノイズが表示されることなく、ＳＤ信号からＨＤ信号、又はＨＤ信号からＳＤ信号といったクロック周波数が変化する信号切り替えを行うことができる。
【０１９１】
尚、以上の説明では、データ出力を所定の期間「０」としてデータを停止する場合について説明したが、データ出力を所定の期間「１」としてデータを停止してもよい。また所定の期間ハイインピーダンスとしても、終端抵抗により「０」又は「１」に固定されるので同様の効果がある。
【０１９２】
また、第１の所定の期間と第２の所定の期間を、ケーブル１１５でノイズが付加されても誤動作しない程度に短くすれば、テレビ１１４へのノイズの表示を抑圧しつつ、周波数の変化する信号切り替えを高速に行うことができる。さらにケーブル１１５の長さに応じて、第１の所定の期間と第２の所定の期間を最適化してもよい。これには例えば、送信装置７５、８４、受信装置１０３の使用者がＧＵＩを利用してケーブル長を設定し、設定されたケーブル長毎にデータ制御回路７３、８２が第１の所定の期間を、再設定回路１０２が第２の所定の期間を決定すればよい。
【０１９３】
さらに、再設定回路１０２が受信装置１０３あるいはテレビ１１４をリセットする場合について説明したが、信号切り替えが高速に行われるように受信装置１０３あるいはテレビ１１４を再設定してもよい。例えばデコーダ１１１の出力を一次停止しつつ、クロック再生回路１０１のフィルタの時定数を変更し、信号切り替え時にのみ通常時より高速応答させてもよい。これによってテレビ１１４に黒画面が表示される時間を短縮することができる。
【０１９４】
加えて、以上の説明では、ＤＶＩ規格を例にとって説明したが、ＨＤＭＩ規格に対しても同様の効果がある。また、ＤＶＩ規格、ＨＤＭＩ規格に限らず、同様の送受信を行う方式であれば同様の効果がある。
【０１９５】
＜クロック及びデータの制御＞
（第１３の実施形態）
図１３は、本発明の第１３の実施形態の送信装置の全体構成のブロック図を示す。
【０１９６】
同図において、１３１は制御回路（制御手段）、１３２、１３３はゲート回路、１３４はデータ・クロック制御回路、１３５はマイコン、１３６は送信装置である。前記送信装置１３６から前記制御回路１３１を除いた部分が送信手段である。
【０１９７】
図１および従来の技術の項で説明したものと同じ動作をするものについては、同じ番号を付した。第１の実施形態、従来の技術の項で説明したこれらのものについては、詳細な説明を省略する。ＤＶＩ規格やＨＤＭＩ規格では、３チャンネルでデータを送信するが、図１３は簡略化のため、ＤＶＩ規格を例にとり１チャンネル伝送する場合について示した。
【０１９８】
以下、図１３を参照しながら、第１３の実施形態の送信装置について説明する。
【０１９９】
マイコン１３５からの指示で、ＭＰＥＧ２デコーダー１８からは、ＳＤ信号やＨＤ信号が出力される。ＨＤ信号はＳＤ信号からアップコンバータによって生成してもよい。データ・クロック制御回路１３４は、マイコン１３５からの指示でゲート回路１３２、１３３を制御し、ケーブル１１５へのデータ及びクロックの出力を所定の期間停止させる。
【０２００】
例えばＳＤ信号からＨＤ信号へ切り替える場合、信号の変化点で、マイコン１３５から切り替えのトリガとなる信号がデータ・クロック制御回路１３４へ出力される。データ・クロック制御回路１３４は、このトリガでカウンタを初期化し、所定の期間カウントすることで、所定の期間で「０」、その他の期間で「１」となる信号をゲート回路１３２、１３３へ出力する。ゲート回路１３２、１３３では、データ・クロック制御回路１３４の出力が「０」の期間出力を「０」にするので、所定の期間データ及びクロックの出力が停止する。
【０２０１】
所定の期間データ及びクロックが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号もしくは垂直同期信号が消失したことを検出し、表示を強制的に黒画面へと変更するので、見苦しいノイズが表示されなくなる。なお、データ及びクロックをともに停止することで、ノイズによる受信装置１１７の保護機能の誤動作を防止することができる。
【０２０２】
データ及びクロックの送信を停止する所定の期間は、受信装置１１７とテレビ１１４の組み合わせによって異なるので、それらの中で最も長時間必要となるものに合致させればよい。
【０２０３】
従って、本実施形態では、テレビ１１４へノイズが表示されることなく、ＳＤ信号からＨＤ信号、又はＨＤ信号からＳＤ信号といった周波数の変化する信号切り替えを行うことができる。
【０２０４】
（第１４の実施形態）
図１４は、本発明の第１４の実施形態の送信装置の全体構成のブロック図を示す。
【０２０５】
同図において、１４１は制御回路（制御手段）、１４２はデータ・クロック制御回路、１４３はマイコン、１４４は送信装置である。前記送信装置１４４から前記制御回路１４１を除いた部分が送信手段である。
【０２０６】
図１、図２、図１３及び従来の技術の項で説明したものと同じ動作をするものについては、同じ番号を付した。第１、２、１３の実施形態と従来の技術で説明したこれらのものについては、詳細な説明を省略する。ＤＶＩ規格やＨＤＭＩ規格では、３チャンネルでデータを送信するが、図１４は簡略化のため、ＤＶＩ規格を例にとり１チャンネル伝送する場合について示した。
【０２０７】
以下、図１４を参照しながら、第１４の実施形態の送信装置について説明する。
【０２０８】
まず、リモコン２３を用いて、前記制御回路１４１に前記受信装置１１７の製造メーカー（製造者）の情報を与える。例えば、ＧＵＩにより、製造メーカーの一覧表の中から該当のものを選択する。マイコン１４３はＧＵＩを処理し、受信装置１１７がどの製造メーカーのものであるか判断し、データ・クロック制御回路１４２へ伝達する。データ・クロック制御回路１４２には、製造メーカーとデータ、クロック停止時間との対応表があり、設定された製造メーカーに応じてデータ及びクロックの停止時間を決定する。これには、カウンタのカウント数を製造メーカー毎に設定すればよい。
【０２０９】
例えばＳＤ信号からＨＤ信号へ切り替える場合、信号の変化点で、マイコン１４３から切り替えのトリガとなる信号がデータ・クロック制御回路１４２へ出力される。データ・クロック制御回路１４２は、このトリガでカウンタを初期化し、設定された期間カウントすることで、設定された期間で「０」、その他の期間で「１」となる信号をゲート回路１３２、１３３へ出力する。ゲート回路１３２、１３３では、データ・クロック制御回路１４２の出力が「０」の期間出力を「０」にするので、設定された期間データ及びクロックの出力が停止する。すなわち、製造メーカーＡでは１００ｍｓｅｃ期間停止、製造メーカーＢでは２００ｍｓｅｃ期間停止とすることができる。
【０２１０】
設定された期間データ及びクロックが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号もしくは垂直同期信号が消失したことを検出し、表示を強制的に黒画面へと変更するため、見苦しいノイズが表示されなくなる。なお、データ及びクロックをともに停止することで、ノイズによる受信装置１１７の保護機能の誤動作を防止することができる。
【０２１１】
従って、本実施形態では、製造メーカー毎に、クロックやデータを停止する期間が受信装置１１７、テレビ１１４に対して最適化されているので、短期間でテレビ１１４にノイズが表示されることなく、ＳＤ信号からＨＤ信号、又はＨＤ信号からＳＤ信号といったクロック周波数が変化する信号切り替えを行うことができる。
【０２１２】
（第１５の実施形態）
図１５は、本発明の第１５の実施形態の送信装置の全体構成のブロック図を示す。
【０２１３】
同図において、１５１はマイコン、である。図１、図３、図１３、図１４と従来の技術の項で説明したものと同じ動作をするものについては、同じ番号を付した。第１、３、１３、１４の実施形態と従来の技術で説明したこれらのものについては、詳細な説明を省略する。ＤＶＩ規格やＨＤＭＩ規格では、３チャンネルでデータを送信するが、図１５は簡略化のため、ＤＶＩ規格を例にとり１チャンネル伝送する場合について示した。
【０２１４】
以下、図１５を参照しながら、第１５の実施形態の送信装置について説明する。
【０２１５】
ＥＤＩＤ３１には、受信装置１１７やテレビ１１４の各種情報が記録されている。例えばテレビ１１４が表示可能な解像度、出音可能なオーディオサンプルレート、製造メーカーや製品品番等である。マイコン１５１には、ケーブル１１５を介してＥＤＩＤ３１にアクセスし、各種情報を入手する読み出し回路（読み出し手段）が備えられている。入手した情報の中から製造メーカーを抽出し、データ・クロック制御回路１４２へ設定する。データ・クロック制御回路１４２には、製造メーカーとデータ、クロック停止時間との対応表があり、設定された製造メーカーに応じてデータ及びクロックの停止時間を決定する。これには、カウンタのカウント数を製造メーカー毎に設定すればよい。
【０２１６】
例えばＳＤ信号からＨＤ信号へ切り替える場合、信号の変化点で、マイコン１５１から切り替えのトリガとなる信号がデータ・クロック制御回路１４２へ出力される。データ・クロック制御回路１４２は、このトリガでカウンタを初期化し、設定された期間カウントすることで、設定された期間で「０」、その他の期間で「１」となる信号をゲート回路１３２、１３３へ出力する。ゲート回路１３２、１３３では、データ・クロック制御回路１４２の出力が「０」の期間出力を「０」にするので、設定された期間データ及びクロックの出力が停止する。すなわち、製造メーカーＡでは１００ｍｓｅｃ期間停止、製造メーカーＢでは２００ｍｓｅｃ期間停止とすることができる。
【０２１７】
設定された期間データ及びクロックが停止することで、受信装置１１７、テレビ１１４ではケーブル１１５が切断されたことと同様の状態になる。このため保護機能が働き、自動的にテレビ１１４への表示がオフされ、ＳＤ信号からＨＤ信号への変化点でノイズが表示されない。例えばテレビ１１４が映像信号の水平同期信号もしくは垂直同期信号が消失したことを検出し、表示を強制的に黒画面へと変更するため、見苦しいノイズが表示されなくなる。なお、データ及びクロックをともに停止することで、ノイズによる受信装置１１７の保護機能の誤動作を防止することができる。
【０２１８】
従って、本実施形態では、マイコン１５１がＥＤＩＤ３１の情報を読みとり、データ及びクロックを停止する期間を受信装置１１７、テレビ１１４に対して自動的に最適化するので、短期間でテレビ１１４にノイズが表示されることなく、ＳＤ信号からＨＤ信号、又はＨＤ信号からＳＤ信号といったクロック周波数が変化する信号切り替えを行うことができる。
【０２１９】
尚、以上の説明では、データ及びクロックの出力を所定の期間「０」としてデータ及びクロックを停止する場合について説明したが、データ及びクロックの出力を所定の期間「１」としてデータ及びクロックを停止してもよい。また所定の期間ハイインピーダンスとしても、終端抵抗により「０」または「１」に固定されるので同様の効果がある。
【０２２０】
また、所定の期間をケーブル１１５でノイズが付加されても誤動作しない程度に短くすれば、テレビ１１４へのノイズの表示を抑圧しつつ、周波数の変化する信号切り替えを高速に行うことができる。さらにケーブル１１５の長さに応じて、所定の期間を最適化してもよい。これには例えば、送信装置１３６、１４４、受信装置１１７の使用者がＧＵＩを利用してケーブル長を設定し、設定されたケーブル長毎にデータ・クロック制御回路１３４、１４２が所定の期間を決定すればよい。
【０２２１】
加えて、以上の説明では、ＤＶＩ規格を例にとって説明したが、ＨＤＭＩ規格に対しても同様の効果がある。また、ＤＶＩ規格、ＨＤＭＩ規格に限らず、同様の送受信を行う方式であれば同様の効果がある。
【０２２２】
（第１６の実施形態）
図１６は、本発明の第１６の実施形態の送受信装置の全体構成のブロック図を示す。
【０２２３】
同図において、１６１はクロック再生回路、１６２は再設定回路（再設定手段）、１６３は受信装置であり，送信装置１３６と受信装置１６３とによって送受信装置が構成されている。前記受信装置１６３から前記再設定回路１６２を除いた部分が受信手段である。
【０２２４】
図１、図１３と従来の技術の項で説明したものと同じ動作をするものについては、同じ番号を付した。第１、１３の実施形態と従来の技術の項で説明したこれらのものについては、詳細な説明を省略する。ＤＶＩ規格やＨＤＭＩ規格では、３チャンネルでデータを送信するが、図１６は簡略化のため、ＤＶＩ規格を例にとり１チャンネル伝送する場合について示した。
【０２２５】
以下、図１６を参照しながら、第１６の実施形態の送受信装置について説明する。
【０２２６】
マイコン１３５からの指示で、ＭＰＥＧ２デコーダー１８からは、ＳＤ信号やＨＤ信号が出力される。ＨＤ信号はＳＤ信号からアップコンバータによって生成してもよい。データ・クロック制御回路１３４は、マイコン１３５からの指示でゲート回路１３２、１３３を制御し、ケーブル１１５へのデータ及びクロックの出力を第１の所定の期間停止させる。
【０２２７】
例えばＳＤ信号からＨＤ信号へ切り替える場合、信号の変化点で、マイコン１３５から切り替えのトリガとなる信号がデータ・クロック制御回路１３４へ出力される。データ・クロック制御回路１３４は、このトリガでカウンタを初期化し、第１の所定の期間カウントすることで、第１の所定の期間で「０」、その他の期間で「１」となる信号をゲート回路１３２、１３３へ出力する。ゲート回路１３２、１３３では、データ・クロック制御回路１３４の出力が「０」の期間出力を「０」にするので、第１の所定の期間データ及びクロックの出力が停止する。
【０２２８】
第１の所定の期間データ及びクロックが停止すると、クロック再生回路１６１はこれを検出し，データあるいはクロックが停止していることを再設定回路１６２へ出力する。なお、データ及びクロックがともに停止したことを検出すれば、ノイズによるクロック再生回路１６１の誤検出を防止することができる。再設定回路１６２ではデータあるいはクロックの停止状態をカウントし、第２の所定の期間データあるいはクロックが停止していた場合に受信装置１６３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０２２９】
第１の所定の期間を第２の所定の期間よりも長く設定することで、送信装置１３６は受信装置１６３に信号の変化点を確実に知らせることができ、受信装置１６３を確実に初期化できる。第２の所定の期間は、ケーブル１１５でノイズが付加されても誤動作しない程度に長くすればよく、例えば１００ｍｓｅｃである。これに対して第１の所定の期間を十分長くとればよいので、例えば２００ｍｓｅｃとすればよい。
【０２３０】
従って、本実施形態では、テレビ１１４へノイズが表示されることなく、ＳＤ信号からＨＤ信号、又はＨＤ信号からＳＤ信号といった周波数の変化する信号切り替えを行うことができる。
【０２３１】
（第１７の実施形態）
図１７は、本発明の第１７の実施形態の送受信装置の全体構成のブロック図を示す。
【０２３２】
送信装置１４４と受信装置１６３とによって送受信装置が構成されている。図１、図２、図１３、図１４、図１６及び従来の技術の項で説明したものと同じ動作をするものについては、同じ番号を付した。第１、２、１３、１４、１６の実施形態と従来の技術で説明したこれらのものについては、詳細な説明を省略する。ＤＶＩ規格やＨＤＭＩ規格では、３チャンネルでデータを送信するが、図１７は簡略化のため、ＤＶＩ規格を例にとり１チャンネル伝送する場合について示した。
【０２３３】
以下、図１７を参照しながら、第１７の実施形態の送受信装置について説明する。
【０２３４】
まず、リモコン２３を用いて、制御回路１４１に前記受信装置１６３の製造メーカーの情報を与える。例えば、ＧＵＩにより、製造メーカーの一覧表の中から該当のものを選択する。マイコン１４３はＧＵＩを処理し、受信装置１６３がどの製造メーカーのものであるか判断し、データ・クロック制御回路１４２へ伝達する。データ・クロック制御回路１４２には、製造メーカーとデータおよびクロック停止時間との対応表があり、設定された製造メーカーに応じてデータ及びクロックの停止時間を決定する。これには、カウンタのカウント数を製造メーカー毎に設定すればよい。
【０２３５】
例えばＳＤ信号からＨＤ信号へ切り替える場合、信号の変化点で、マイコン１４３から切り替えのトリガとなる信号がデータ・クロック制御回路１４２へ出力される。データ・クロック制御回路１４２は、このトリガでカウンタを初期化し、設定された期間カウントすることで、設定された期間で「０」、その他の期間で「１」となる信号をゲート回路１３２、１３３へ出力する。ゲート回路１３２、１３３では、データ・クロック制御回路１４２の出力が「０」の期間出力を「０」にするので、設定された第１の所定の期間データ及びクロックの出力が停止する。すなわち、製造メーカーＡでは１００ｍｓｅｃ期間停止、製造メーカーＢでは２００ｍｓｅｃ期間停止とすることができる。
【０２３６】
第１の所定の期間データ及びクロックが停止すると、クロック再生回路１６１はこれを検出し，データあるいはクロックが停止していることを再設定回路１６２へ出力する。なお、データ及びクロックがともに停止したことを検出すれば、ノイズによるクロック再生回路１６１の誤検出を防止することができる。再設定回路１６２ではデータあるいはクロックの停止状態をカウントし、第２の所定の期間データあるいはクロックが停止していた場合に受信装置１６３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０２３７】
第１の所定の期間を第２の所定の期間よりも長く設定することで、送信装置１４４は受信装置１６３に信号の変化点を確実に知らせることができる。第２の所定の期間は、ケーブル１１５でノイズが付加されても誤動作しない程度に長くすればよく、例えば製造メーカーＡでは５０ｍｓｅｃ、製造メーカーＢでは１００ｍｓｅｃである。上述の第１の所定の期間は、第２の所定の期間よりも十分に長い期間であり、メーカー毎に設定される。このため受信装置１６３へ信号の変化点を確実に知らせることができ、この変化点で受信装置１６３を確実に初期化できる。
【０２３８】
従って、本実施形態では、製造メーカー毎に、データ及びクロックを停止する期間が受信装置１６３、テレビ１１４に対して最適化されているので、短期間かつテレビ１１４へノイズが表示されることなく、ＳＤ信号からＨＤ信号、又はＨＤ信号からＳＤ信号といったクロック周波数が変化する信号切り替えを行うことができる。
【０２３９】
（第１８の実施形態）
図１８は、本発明の第１８の実施形態の送受信装置の全体構成のブロック図を示す。
【０２４０】
同図において、送信装置１４４と受信装置１６３とによって送受信装置が構成されている。図１，図３、図１３〜図１６と従来の技術の項で説明したものと同じ動作をするものについては、同じ番号を付した。第１、３、１３〜１６の実施形態と従来の技術で説明したこれらのものについては、詳細な説明を省略する。ＤＶＩ規格やＨＤＭＩ規格では、３チャンネルでデータを送信するが、図１８は簡略化のため、ＤＶＩ規格を例にとり１チャンネル伝送する場合について示した。
【０２４１】
以下、図１８を参照しながら、第１８の実施形態の送受信装置について説明する。
【０２４２】
ＥＤＩＤ３１には、受信装置１６３（受信手段及び再設定手段）やテレビ１１４の各種情報が記録されている。例えばテレビ１１４が表示可能な解像度、出音可能なオーディオサンプルレート、製造メーカーや製品品番等である。このＥＤＩＤ３１は、受信装置４３に備える情報保持手段（図示せず）に保持されている。マイコン１５１には、ケーブル１１５を介してＥＤＩＤ３１にアクセスし、各種情報を入手する読み出し回路（読み出し手段）が備えられている。入手した情報の中から製造メーカーを抽出し、データ・クロック制御回路１４２へ設定する。データ・クロック制御回路１４２には、製造メーカーとデータ、クロック停止時間との対応表があり、設定された製造メーカーに応じてデータ及びクロックの停止時間を決定する。これには、カウンタのカウント数を製造メーカー毎に設定すればよい。
【０２４３】
例えばＳＤ信号からＨＤ信号へ切り替える場合、信号の変化点で、マイコン１５１から切り替えのトリガとなる信号がデータ・クロック制御回路１４２へ出力される。データ・クロック制御回路１４２は、このトリガでカウンタを初期化し、設定された期間カウントすることで、設定された期間で「０」、その他の期間で「１」となる信号をゲート回路１３２、１３３へ出力する。ゲート回路１３２、１３３では、データ・クロック制御回路１４２の出力が「０」の期間出力を「０」にするので、設定された第１の所定の期間データ及びクロックの出力が停止する。すなわち、製造メーカーＡでは１００ｍｓｅｃ期間停止、製造メーカーＢでは２００ｍｓｅｃ期間停止とすることができる。
【０２４４】
第１の所定の期間データ及びクロックが停止すると、クロック再生回路１６１はこれを検出し，データ又はクロックが停止していることを再設定回路１６２へ出力する。なお、データ及びクロックがともに停止したことを検出すれば、ノイズによるクロック再生回路１６１の誤検出を防止することができる。再設定回路１６２ではデータ又はクロックの停止状態をカウントし、第２の所定の期間データ又はクロックが停止していた場合に受信装置１６３、テレビ１１４の少なくとも一方をリセットする。このリセット動作でテレビ１１４への表示が例えば黒画面となってオフされ、ＳＤ信号からＨＤ信号への変化点で見苦しいノイズが表示されない。
【０２４５】
第１の所定の期間を第２の所定の期間よりも長く設定することで、送信装置１４４は受信装置１６３に信号の変化点を確実に知らせることができる。第２の所定の期間は、ケーブル１１５でノイズが付加されても誤動作しない程度に長くすればよく、例えば製造メーカーＡでは５０ｍｓｅｃ、製造メーカーＢでは１００ｍｓｅｃである。上述の第１の所定の期間は、第２の所定の期間よりも十分に長い期間であり、メーカー毎に設定される。このため受信装置１６３へ信号の変化点を確実に知らせることができ、この変化点で受信装置１６３を確実に初期化できる。
【０２４６】
従って、本実施形態では、マイコン１５１がＥＤＩＤ３１の情報を読みとり、データ、クロックを停止する期間を受信装置１６３、テレビ１１４に対して自動的に最適化するので、短期間でテレビ１１４にノイズが表示されることなく、ＳＤ信号からＨＤ信号、又はＨＤ信号からＳＤ信号といったクロック周波数が変化する信号切り替えを行うことができる。
【０２４７】
尚、以上の説明では、データ及びクロックの出力を所定の期間「０」としてデータ及びクロックを停止する場合について説明したが、データ及びクロックの出力を所定の期間「１」としてデータ及びクロックを停止してもよい。また所定の期間ハイインピーダンスとしても、終端抵抗により０または１に固定されるので同様の効果がある。
【０２４８】
また、第１の所定の期間と第２の所定の期間を、ケーブル１１５でノイズが付加されても誤動作しない程度に短くすれば、テレビ１１４へのノイズの表示を抑圧しつつ、周波数の変化する信号切り替えを高速に行うことができる。さらにケーブル１１５の長さに応じて、第１の所定の期間と第２の所定の期間を最適化してもよい。これには例えば、送信装置１３６、１４４、受信装置１６３の使用者がＧＵＩを利用してケーブル長を設定し、設定されたケーブル長毎にデータ・クロック制御回路１３４、１４２が第１の所定の期間を、再設定回路１６２が第２の所定の期間を決定すればよい。
【０２４９】
さらに、再設定回路１６２が受信装置１６３あるいはテレビ１１４をリセットする場合について説明したが、信号切り替えが高速に行われるように受信装置１６３あるいはテレビ１１４を再設定してもよい。例えばデコーダ１１１の出力を一次停止しつつ、クロック再生回路１６１のフィルタの時定数を変更し、信号切り替え時にのみ通常時より高速応答させてもよい。これによってテレビ１１４に黒画面が表示される時間を短縮することができる。
【０２５０】
加えて、以上の説明では、ＤＶＩ規格を例にとって説明したが、ＨＤＭＩ規格に対しても同様の効果がある。また、ＤＶＩ規格、ＨＤＭＩ規格に限らず、同様の送受信を行う方式であれば同様の効果がある。
【産業上の利用可能性】
【０２５１】
以上説明したように、本発明は、制御手段を設けて、クロックやデータの送信を制御することにより、信号切り替え時にテレビ等に表示されるノイズを低減できるので、プラズマテレビや液晶テレビに映像信号や音声信号を伝送するＤＶＤプレーヤーやＤＶＤレコーダーの送信装置及び送受信装置等として有用である。
【図面の簡単な説明】
【０２５２】
【図１】本発明の第１の実施形態の送信装置における全体構成を示すブロック図である。
【図２】本発明の第２の実施形態の送信装置における全体構成を示すブロック図である。
【図３】本発明の第３の実施形態の送信装置における全体構成を示すブロック図である。
【図４】本発明の第４の実施形態の送受信装置における全体構成を示すブロック図である。
【図５】本発明の第５の実施形態の送受信装置における全体構成を示すブロック図である。
【図６】本発明の第６の実施形態の送受信装置における全体構成を示すブロック図である。
【図７】本発明の第７の実施形態の送信装置における全体構成を示すブロック図である。
【図８】本発明の第８の実施形態の送信装置における全体構成を示すブロック図である。
【図９】本発明の第９の実施形態の送信装置における全体構成を示すブロック図である。
【図１０】本発明の第１０の実施形態の送受信装置における全体構成を示すブロック図である。
【図１１】本発明の第１１の実施形態の送受信装置における全体構成を示すブロック図である。
【図１２】本発明の第１２の実施形態の送受信装置における全体構成を示すブロック図である。
【図１３】本発明の第１３の実施形態の送信装置における全体構成を示すブロック図である。
【図１４】本発明の第１４の実施形態の送信装置における全体構成を示すブロック図である。
【図１５】本発明の第１５の実施形態の送信装置における全体構成を示すブロック図である。
【図１６】本発明の第１６の実施形態の送受信装置における全体構成を示すブロック図である。
【図１７】本発明の第１７の実施形態の送受信装置における全体構成を示すブロック図である。
【図１８】本発明の第１８の実施形態の送受信装置における全体構成を示すブロック図である。
【図１９】従来の送信装置及び送受信装置における全体構成を示すブロック図である。
【符号の説明】
【０２５３】
１１、２１、７１、８１、１３１、１４１      制御回路（制御手段）
２５、７５、８４、１１６、１３６、１４４    送信装置
１９、２４、３２、７４、８３、
９１、１３５、１４３、１５１      マイコン
４２、１０２、１６２                        再設定回路（再設定手段）
４３、１０３、１１７、１６３                受信装置
【図１】
0004681042.tif 000002
【図２】
0004681042.tif 000003
【図３】
0004681042.tif 000004
【図４】
0004681042.tif 000005
【図５】
0004681042.tif 000006
【図６】
0004681042.tif 000007
【図７】
0004681042.tif 000008
【図８】
0004681042.tif 000009
【図９】
0004681042.tif 000010
【図１０】
0004681042.tif 000011
【図１１】
0004681042.tif 000012
【図１２】
0004681042.tif 000013
【図１３】
0004681042.tif 000014
【図１４】
0004681042.tif 000015
【図１５】
0004681042.tif 000016
【図１６】
0004681042.tif 000017
【図１７】
0004681042.tif 000018
【図１８】
0004681042.tif 000019
【図１９】
0004681042.tif 000020